(57)【要約】【課題】本発明は、電動車両の電気エネルギー急速補給方法及びその給電装置を提供する。【解決手段】充電可能なバッテリパックが電動車両に設けられ、バッテリ交換装置、充電庫及びバッテリ庫がバッテリ交換ステーションに設けられる電動車両の電気エネルギー急速補給方法である。充電可能なバッテリパックは、バッテリケース及び標準化された標準バッテリユニットからなり、バッテリケース内には、標準バッテリユニットを収容する少なくとも１つのバッテリチャンバーが設けられ、バッテリチャンバー内には、バッテリの装入方向に沿ってガイドレール、及び標準バッテリユニットを収容する複数の収納箇所が設けられ、標準バッテリユニットは、作動時にバッテリケース内にあり、かつガイドレールに沿ってバッテリケースに円滑に装入及び退出でき、バッテリの電極が装入方向の側面にあり、標準バッテリユニットが装着位置につくと、バッテリの電極が電極接触レールに接触し、電極接触レールの間が固定の直並列回路によって接続され、充電された標準バッテリユニットが全て位置につくと、バッテリパックが所定の定格電圧及び容量に達し、上述の充電可能なバッテリパックが電動車両に予め設けられ、電動車両が充電の必要があるとき、バッテリ交換ステーションに入って費用を納付してバッテリケース内の電力が不足している標準バッテリユニットを充電された標準バッテリユニットに交換すればよい。【選択図】図１１
2013512137.tif 000002
【特許請求の範囲】
【請求項１】
充電可能なバッテリパックが電動車両に設けられ、バッテリ交換装置、充電庫、及びバッテリ庫がバッテリ交換ステーションに設けられる電動車両の電気エネルギー急速補給方法であって、
前記充電可能なバッテリパックが、バッテリケース、及び標準化された標準バッテリユニットからなり、
前記バッテリケース内には、前記標準バッテリユニットを収容する少なくとも１つのバッテリチャンバーが設けられ、前記バッテリチャンバー内には、前記標準バッテリユニットを収容する複数の収納箇所が設けられ、前記標準バッテリユニットの装入方向に沿ってガイドレールが設けられ、前記標準バッテリユニットが、作動時にバッテリケース内に位置され、前記ガイドレールに沿ってバッテリケースに円滑に装入及び退出することができ、バッテリの電極が装入方向の側面にあり、前記標準バッテリユニットが装着位置につくと、バッテリの電極が電極接触レールに接触し、前記電極接触レールの間が所定の直列・並列回路によって接続され、前記標準バッテリユニットが全て装着位置につくと、バッテリパックが所定の定格電圧及び容量に達し、充電可能なバッテリパックを電動車両に予め設け、前記電動車両が充電の必要があるとき、バッテリ交換ステーションに入って費用を納付してバッテリケース内の電力が不足している標準バッテリユニットを充電済の標準バッテリユニットに交換することを特徴とする電動車両の電気エネルギー急速補給方法。
【請求項２】
（１）電動車両がバッテリ交換ステーションのバッテリ交換箇所に入って、運転手が必要となる標準バッテリユニットの仕様及び数量に基づき、交換しようとする標準バッテリユニットを発注し、バッテリケースをバッテリ交換状態に切替え、バッテリケース内の標準バッテリユニットへのロッキングを解除するステップと、
（２）発注されたバッテリ数量に基づき、バッテリ交換装置を利用し電動車両のバッテリケース内の電力が不足している標準バッテリユニットを、充電された標準バッテリユニットに交換するステップと、
（３）バッテリ交換装置が、装入された標準バッテリユニットの仕様、数量及び価格を同時に表示するステップと、
（４）バッテリケース内の電力が不足している標準バッテリユニットが交換された後、バッテリ交換装置を外し、バッテリパック内の標準バッテリユニットを改めてロックし、電動車両の充電を完了させるステップと、
（５）標準バッテリユニットが、全てバッテリケース内に入り込んだ後、電極接触レールに正確に接触し、かつ電極接触レール間に固設された直列・並列回路によって組み合わされ、所定のバッテリパック定格電圧及びバッテリパック容量が達成されるステップと、
（６）この間、運転手が、発注したバッテリ交換数に応じて費用を納付し、又は実際に交換されたバッテリ数量に応じて費用を納付するステップと、
（７）交換された電力が不足している標準バッテリユニットを充電庫で充電し、充電済みの標準バッテリユニットをバッテリ庫に収納しておくステップと、
を備える請求項１に記載の電動車両の電気エネルギー急速補給方法。
【請求項３】
バッテリケースにおいて、バッテリチャンバーが、一端に標準バッテリユニットの入口が設けられ、他端に標準バッテリユニットの出口が設けられ、前記バッテリケース内の標準バッテリユニットに対するロッキングを解除した後、バッテリ交換装置の装入口と電動車両のバッテリチャンバーの入口とを結合し、前記バッテリ交換装置を起動し、発注される標準バッテリユニットの仕様及び数量に基づき、前記バッテリチャンバーの入口からフル充電した標準バッテリユニットを１つずつ装入するとともに、前記バッテリチャンバー内の電力が不足している標準バッテリユニットを前記バッテリチャンバーの出口から１つずつ退出させ、複数のバッテリチャンバーが設けられたバッテリケースに対して、前記標準バッテリユニットを同時に装入し、かつ同時に退出させる請求項１に記載の電動車両の電気エネルギー急速補給方法。
【請求項４】
バッテリケースにおいて、同一のバッテリチャンバーに標準バッテリユニットの装入及び退出を兼ねる出入口が１つのみ設けられ、前記バッテリケース内の標準バッテリユニットに対するロッキングを解除した後、バッテリ交換装置の回収口を前記バッテリケースのバッテリチャンバーの出入口に結合し、前記バッテリケース内の標準バッテリユニットをバッテリケースのチャンバーの出入口から１つずつ退出させ、前記バッテリ交換装置の装入口をバッテリチャンバーの出入口に結合し、発注される標準バッテリユニットの仕様及び数量に基づき、前記バッテリチャンバーの出入口から充電された標準バッテリユニットを１つずつ装入し、前記バッテリケースに複数のバッテリチャンバーが設けられるとき、標準バッテリユニットが同時に退出させ、同時に装入できる請求項１に記載の電動車両の電気エネルギー急速補給方法。
【請求項５】
複数のバッテリセルを直列及び／又は並列してなり、使用中に分解しない標準外殻に収納され、標準外殻に電極が設けられることを特徴とする標準バッテリユニット。
【請求項６】
金属バネ又は弾性材料からなる弾性伸縮構造が、電極に設けられる電池セルを有することを特徴とする標準バッテリユニット。
【請求項７】
金属バネ又は弾性材料からなる弾性伸縮構造が、標準バッテリユニットの電極に設けられる請求項５に記載の標準バッテリユニット。
【請求項８】
標準バッテリユニットの角部又は突出部位に弾性緩衝パッドが設けられる請求項６に記載の標準バッテリユニット。
【請求項９】
標準バッテリユニットに耐摩耗層が設けられている請求項６に記載の標準バッテリユニット。
【請求項１０】
標準バッテリユニットの陰極及び陽極が、標準バッテリユニットの両端にそれぞれ設けられ、かつ電極が標準バッテリユニットの対応する端面から突出する請求項６に記載の標準バッテリユニット。
【請求項１１】
バッテリケース主体を有するバッテリケースであって、
複数の標準バッテリユニットを収容できる少なくとも１つのバッテリチャンバーが前記バッテリケース主体内に設けられ、前記バッテリチャンバー内において、バッテリの装入方向に沿ってガイドレールが設けられ、バッテリ位置決め機構がバッテリケース内に設けられ、前記バッテリチャンバー内の、バッテリ装入方向の側面に標準バッテリユニットの電極に直接に接触する電極接触レールが設けられ、前記電極接触レールが陽極接触レールと陰極接触レールとからなり、
少なくとも１つの陽極接触レール及び少なくとも１つの陰極接触レールが、外部回路に接続するための出力ポートが設けられるか、又は外部回路に接続するための出力ポートが接続されることを特徴とするバッテリケース。
【請求項１２】
陽極接触レール及び／又は陰極接触レールが複数設けられ、所定の直列及び／又は並列回路によって接続される請求項１１に記載のバッテリケース。
【請求項１３】
バッテリケースにおいて、各バッテリチャンバーの両端に標準バッテリユニットの入口及び出口がそれぞれ設けられる請求項１１に記載のバッテリケース。
【請求項１４】
バッテリケースにおいて、同一のバッテリチャンバーにバッテリの装入及び退出を兼ねる出入口が１つのみ設けられる請求項１１に記載のバッテリケース。
【請求項１５】
バッテリチャンバーの入口、出口、又は出入口に開閉式の保護カバーが設けられ、前記保護カバーとバッテリケースとの間に封止要素又は封止構造が設けられる請求項１３又は１４に記載のバッテリケース。
【請求項１６】
電極接触レールが、バッテリの装入方向の側面であって、バッテリの電極に対応する部位に設けられる請求項１１に記載のバッテリケース。
【請求項１７】
各バッテリチャンバー内において、少なくとも１つの電極接触レールが、バッテリの電極に接触する方向に湾曲弾性を有する良導体からなり、前記良導体の材料よりも柔軟な弾性材料によってバッテリケースに連結される請求項１６に記載のバッテリケース。
【請求項１８】
各バッテリチャンバー内において、少なくとも１つの電極接触レールが、剛性がより大きい良導体からなり、電極接触レールとバッテリケースとの間に弾性要素が設けられる請求項１６に記載のバッテリケース。
【請求項１９】
電極接触レールが、バッテリの電極に対して移動可能又は回動可能である請求項１６に記載のバッテリケース。
【請求項２０】
ガイドレールが、摺動ガイドレール又は転動ガイドレールである請求項１１に記載のバッテリケース。
【請求項２１】
転動ガイドレールが、回転ローラ、又は回転ローラ及びガイド伝動ベルトからなる請求項２０に記載のバッテリケース。
【請求項２２】
ガイドレールが、バッテリチャンバー内に固定されるガイドバー、又はバッテリケースの側壁に設けられるガイド凹凸構造である請求項２０に記載のバッテリケース。
【請求項２３】
ガイドレールとバッテリケースとの間に、弾性緩衝スペーサーが設けられる請求項２０に記載のバッテリケース。
【請求項２４】
バッテリの着脱駆動機構が、バッテリケースに設けられる請求項２０に記載のバッテリケース。
【請求項２５】
着脱駆動機構が、制御システム、駆動電機、減速装置及び伝動装置からなり、
前記伝動装置が、ベルト伝動、スプロケット伝動、歯車とラックとの伝動、ウォームホィールとウォームとの伝動、及びボールとボルトとの伝動のいずれかである請求項２４に記載のバッテリケース。
【請求項２６】
バッテリ着脱駆動機構が、制御システム、制御弁及びシリンダ又は液圧シリンダからなる請求項２４に記載のバッテリケース。
【請求項２７】
バッテリ位置決め機構が、バッテリチャンバーに進入可能又は退出可能な可動ブロックである請求項１１に記載のバッテリケース。
【請求項２８】
バッテリケース内又はバッテリケースの周囲に、冷却放熱システムが設けられる請求項１１に記載のバッテリケース。
【請求項２９】
冷却放熱システムが、吸気ポート及び排気ポートが設けられる空冷通路であり、前記吸気ポートに、交換可能又は洗浄可能なろ過網が設けられ、バッテリの周囲において通風サブ通路が設けられ、前記通風サブ通路が空冷通路を介して外部空気に連通され、
前記空冷通路にファンが設けられて強制的に通風するか、又は前記空冷通路の吸気ポートに車両走行の気動圧力を通風動力の動圧とする動圧集気ポートが設けられる請求項２８に記載のバッテリケース。
【請求項３０】
冷却放熱システムが、循環放熱管路であり、前記循環放熱管路が、吸熱部、放熱部、循環接続管、及び動力循環ポンプからなり、前記循環放熱管路内に冷媒があり、前記吸熱部がバッテリの周囲に設けられ、又はバッテリの外壁に接触され、前記放熱部が外部の流通空気に接触されるか、又は放熱外殻に接触される請求項２８に記載のバッテリケース。
【請求項３１】
冷却放熱システムが、蒸発部、凝縮部、上昇管、及び下降管からなる重力型熱パイプであり、前記蒸発部及び前記凝縮部の少なくとも１つは、複数の連通されるカランドリアからなり、前記カランドリア内に低沸点冷媒があり、前記蒸発部とバッテリが密接に接触されるか、良好な熱伝導材料によってバッテリに接触されるか、又はバッテリの周囲に配置され、前記凝縮部が前記蒸発部の上方に設けられ、前記上昇管及び前記下降管によって前記蒸発部に連通され、前記凝縮部が外部の流通空気に設けられるか、又は放熱外殻に接触され、前記放熱外殻が、外部の流通空気に接触される少なくとも一部のバッテリケースの外殻、又は少なくとも一部の電動車両の外殻を備える請求項２８に記載のバッテリケース。
【請求項３２】
バッテリチャンバー内に、標準バッテリユニットの電極を識別する自動識別装置が設けられる請求項１１に記載のバッテリケース。
【発明の詳細な説明】
【技術分野】
【０００１】
本発明は、交通運輸分野に属し、電動車両のエネルギー供給に関し、具体的には、電動車両の電気エネルギー急速補給方法及びそれに対応する給電装置に関する。
【背景技術】
【０００２】
科学技術の進歩及び経済の発展に伴って、人々の生産、生活空間が拡大している。様々な車両は、既に人々の外出に不可欠な交通手段となっている。
従来、車両の動力は、主として石油製品及び様々なガスから供給されているが、石油ガス資源が日増しに減少し、騒音汚染、大気汚染、地球温暖化等の問題がますます深刻化している。環境保護のために代替エネルギーを開発し利用して、二酸化炭素の排出量を削減することは、人々の合意を得ている。このような背景から、電気エネルギーは、環境に優しく、高効率であり、信頼性のあるエネルギーとして車両の動力供給分野で広く用いられている。そして、電気自転車、電気自動車、電気バス、路面電車等の電動車両は、未来の交通運輸車両になっている。しかし、充電バッテリを動力とする電動車両に用いられている普通車両用バッテリは、一般的に充電に数時間もかかり、石油ガスのようにガソリンスタンドで急速に給油できないという問題がある。このことは、電動車両の普及にとって大きな障壁となっている。
【０００３】
前記問題を解決するために、中国特許出願番号２００８１０００６７７１.６の明細書には、大型バッテリパックを急速に交換する方法及び装置が提案されている。この方法では、一般的に、交換ユニットとして、所謂高圧バッテリパック又は全圧バッテリパックを用いている。この提案では、バッテリパックを容易に交換できるように、バッテリの重量及び体積を大きくしている。しかし、様々な仕様、及び様々なブランドの電動車両は、外形が異なり、内部空間も大きく異なるので、寸法が比較的大きい大型高圧バッテリを用いると、バッテリの規格及び仕様が標準化しにくくなり、限られた仕様のバッテリを市場にある大部分の車両に適用することが困難になる。更に、寸法及び形状が異なるバッテリパックでは、ガソリンスタンドに類似する充電設備を建設することが困難となり、バッテリを交換することで電動車両に急速に充電することも非常に難しくなる。そのため、電動車両の普及が大幅に制限されてしまう。
【０００４】
近年、関連技術についての研究は、これらの大型バッテリをどのように急速充電するかというレベルに留まっている。しかし、現在のところ、急速充電しても約１０分間〜２０分間かかるので、多くの車両を同時に充電するには、広い場所が必要になる。このことは、ガソリンスタンドに類似する充電設備を大規模に建設し、電動車両の普及を促進する要求を明らかに満たさない。また、高電圧かつ大容量のバッテリを用いるので、保存及び使用等の段階において、より高い安全性、及び保障も要求され、このことも営業コストをある程度増大させる。
【０００５】
また、専用のトロリーポール及び電力網によって電気エネルギーを供給するトロリーバスについては、電力網を架設することは、大量の都市空間を占めるだけでなく、都市の外観にも影響を与え、維持コストが増加する等の問題点を有するので、適用範囲の拡大が更に期待できない。
【発明の概要】
【発明が解決しようとする課題】
【０００６】
以上の問題点に鑑み、本発明は、市場における様々な電動車両のバッテリパックの充電バッテリの急速交換に適用でき、かつ専用のトロリーポール及び電力網を配置することなく、電動車両の電気エネルギーの急速補給を実現できる方法を提供することを目的とする。
【課題を解決するための手段】
【０００７】
本発明に係る電動車両の電気エネルギー急速補給方法は、バッテリケース及び標準化された標準バッテリユニットからなる充電可能なバッテリパックを電動車両に設け、バッテリ交換装置、充電庫及びバッテリ庫をバッテリ交換ステーションに設けることで実現される。
前記標準バッテリユニットの仕様、大きさ及び形状は、市場におけるほとんどの電動車両の様々な形状のバッテリケースに適用できる。電動車両の車種によって、バッテリケースに用いられる標準バッテリユニットは、仕様、数量、バッテリの配列、及びバッテリユニット間の直列・並列接続方式の少なくともいずれかが異なる。
バッテリケース内には、標準バッテリユニットを収容する少なくとも１つのバッテリチャンバーが設けられる。前記バッテリチャンバー内には、バッテリの装入方向に沿ってガイドレール、及び標準バッテリユニットを収容する複数の収納箇所が設けられる。
前記標準バッテリユニットは、作動時にバッテリケース内にあり、かつガイドレールに沿ってバッテリケースに円滑に装入及び退出でき、電極が装入方向の側面にある。前記標準バッテリユニットが装着位置につくと、バッテリの電極が電極接触レールに接触し、電極接触レールの間が固定の直列・並列回路によって接続される。充電された標準バッテリユニットが全て装着位置につくと、バッテリパックが所定の定格電圧及び容量に達する。前記充電可能なバッテリパックが電動車両に予め設けられ、電動車両が充電の必要があるとき、バッテリ交換ステーションに入って費用を納付してバッテリケース内の電力が不足している標準バッテリユニットを充電済の標準バッテリユニットに交換する。
【０００８】
一般的に、本発明の電動車両の電気エネルギー急速補給方法は、以下のステップを備えている。
（１）電動車両がバッテリ交換ステーションのバッテリ交換箇所に入って、運転手が標準バッテリユニットの仕様及び数量に応じて、交換しようとする標準バッテリユニットを発注し、バッテリケースをバッテリ交換状態に切替え、バッテリケース内の標準バッテリユニットのロッキングを解除する。
（２）発注されたバッテリ数量に基づき、バッテリ交換装置によって電動車両のバッテリケース内の電力が不足している標準バッテリユニットを、充電された標準バッテリユニットに交換する。
（３）バッテリ交換装置は、装入された標準バッテリユニットの仕様、数量及び価格を同時に表示する。
（４）バッテリケース内の電力が不足している標準バッテリユニットが交換された後、バッテリ交換装置を外し、バッテリパック内の標準バッテリユニットを改めてロックし、電動車両の充電が完了する。
（５）標準バッテリユニットは、全てバッテリケース内の装着位置についた後、電極接触レールに正確に接触し、かつ電極接触レール間に固設された直列・並列回路によって組み合わされ、所定のバッテリパック定格電圧及びバッテリパック容量が達成される。
（６）この間、運転手は、発注したバッテリの交換数に応じて費用を納付し、又は実際に交換されたバッテリ数量に応じて費用を納付する。
（７）交換された電力が不足している標準バッテリユニットを充電庫で充電し、充電済の標準バッテリユニットをバッテリ庫に収納しておく。
【０００９】
本発明にかかる電動車両の電気エネルギー急速補給方法を用いるとき、バッテリ交換装置によって、電動車両バッテリケース内の交換する必要がある電力が不足している標準バッテリユニットを、充電された電力が充足している標準バッテリユニットに交換する。これは、バッテリケースの構造によって、以下のように操作できる。
（１）バッテリケースにおいて、バッテリチャンバーには、一端に標準バッテリユニットの入口が設けられ、他端に標準バッテリユニットの出口が設けられ、バッテリケース内の標準バッテリユニットに対するロッキングを解除した後、バッテリ交換装置の装入口と電動車両のバッテリチャンバーの入口とを結合し、バッテリ交換装置を起動し、発注される標準バッテリユニットの仕様及び数量に応じて、バッテリチャンバーの入口から充電された標準バッテリユニットを１つずつ装入するとともに、該バッテリチャンバー内の電力が不足している標準バッテリユニットがバッテリチャンバーの出口から１つずつ退出され、複数のバッテリチャンバーが設けられたバッテリケースに対して、バッテリ交換の効率を向上させるために、複数のバッテリチャンバーにおける標準バッテリユニットが同時に装入でき、かつ同時に退出できる。
（２）バッテリケースにおいて、同一のバッテリチャンバーに標準バッテリユニットの装入及び退出を兼ねる出入口が１つのみ設けられ、バッテリケース内の標準バッテリユニットに対するロッキングを解除した後、バッテリ交換装置の回収口をバッテリケースのバッテリチャンバーの出入口に結合し、バッテリケース内の標準バッテリユニットをバッテリケースのチャンバーの出入口から１つずつ退出する。そして、バッテリ交換装置の装入口をバッテリチャンバーの出入口に結合し、発注される標準バッテリユニットの仕様及び数量によって、バッテリチャンバーの出入口からフル充電された標準バッテリユニットを１つずつ装入する。同様に、バッテリケースに複数のバッテリチャンバーが設けられるとき、複数のバッテリチャンバーにおける標準バッテリユニットを同時に退出可能であり、同時に装入可能である。
【００１０】
本発明の方法によれば、従来の鉛酸バッテリ、鉛酸コロイドバッテリ、金属水素化物／ニッケルバッテリ、リチウムイオンバッテリ、又はリチウム金属バッテリ等の様々なバッテリによって電動車両にエネルギーを供給することができる。従って、標準バッテリユニットは、上述した充電可能なバッテリセルのいずれでもよい。本発明におけるバッテリセルは、分解できない独立のバッテリセルである。製造及び組合わせるためには、バッテリセルの形状は円柱形状又は長方形が好ましい。なお、当然のことながら、他の形状であってもよい。
【００１１】
本発明の第二の目的は、標準化される従来の充電バッテリを標準バッテリユニットとして直接用いる以外に、使用中、標準バッテリユニットの電極と、電極接触レールとを常に効果的に接触させるために、本発明の電動車両の電気エネルギー急速補給方法に用いられる他の標準バッテリユニットを提供することにある。
前記標準バッテリユニットは、１つのバッテリセルを有する。前記バッテリセルの電極に弾性伸縮構造が設けられる。前記弾性伸縮構造は、金属バネ又は弾性材料からなる。前記弾性材料としては、ゴム材料又は弾性ポリウレタン材料などが挙げられる。
【００１２】
また、本発明の第三の目的は、前記バッテリセルを直接用いる以外に、作動効率を向上し、交換及び使用を容易にするため、本発明の電動車両の電気エネルギー急速補給方法に用いられる他の標準バッテリユニットを提供することにある。
前記標準バッテリユニットは、複数のバッテリセルを直列及び／又は並列してなり、使用中に分解しない標準外殻に収納され、標準外殻に電極が設けられる。外部の接続回路に接続するために、前記標準バッテリユニットの電極に弾性伸縮構造が設けられてもよい。
前記弾性伸縮構造は、金属バネ又は弾性材料からなる。前記弾性材料としては、ゴム材料、弾性ポリウレタン材料などが挙げられる。
前記標準外殻の形状は、円柱形状又は長方形であることが好ましい。また、前記使用中とは、バッテリの正常の使用寿命と同義である。前記標準外殻を設ける技術によってバッテリを交換することは、より便利で快速であり、バッテリの電圧、容量及び重量、寸法をより適切にすることができ、全圧大バッテリに比べて、複雑な形状を有するバッテリケースに配置しやすい。このため、電動車両の可用空間を更に十分に適用でき、バッテリセルに対して、電動車両の充電時間を更に短縮できる。本発明の標準バッテリユニットの電極は、標準バッテリユニットの装入方向の側面に設けられる。
【００１３】
前記標準バッテリユニットの電極は、同一端面に設けられる以外に、標準バッテリユニットの陰陽電極を標準バッテリユニットの両端にそれぞれ設け、かつ陰極及び陽極を標準バッテリユニットの対応する端面からそれぞれ突出させることもできる。これは、標準バッテリユニットと外部回路との効果的な接続に更に有利である。また、外部衝撃による偶然の損壊を防止するために、本発明の標準バッテリユニットの角部又は突出部位に弾性緩衝パッドが設けられる。
また、本発明の電動車両の電気エネルギー急速補給方法に用いるために、本発明の標準バッテリユニットにおいて、バッテリケースのガイドレールに対応する位置に耐摩耗層を設けることが好ましい。これによって、ガイドレールによる標準バッテリユニットの摩損が低減され、標準バッテリユニットを重複して着脱するときに過度の摩損によって損壊することを防止し、製品の寿命が向上する。
【００１４】
本発明の第四の目的は、本発明の電動車両の電気エネルギー急速補給方法及び様々な標準バッテリユニットに用いられるバッテリケースを提供するところにある。
前記バッテリケースは、バッテリケース主体を有する。複数の標準バッテリユニットが収容できる少なくとも１つのバッテリチャンバーがバッテリケース内に設けられる。前記バッテリチャンバー内において、バッテリの装入方向に沿ってガイドレールが設けられる。
前記バッテリチャンバー内において、バッテリの装入方向に沿って複数の標準バッテリユニットの収納箇所が設けられる。バッテリ位置決め機構がバッテリケース内に設けられる。バッテリチャンバー内のバッテリ装入方向の側面に標準バッテリユニットの電極に直接に接触する電極接触レールが設けられる。前記電極接触レールは、陽極接触レールと陰極接触レールとからなる。
少なくとも１つの陽極接触レール及び少なくとも１つの陰極接触レールは、外部回路に接続するための出力ポートが設けられるか、又は外部回路に接続するための出力ポートが接続される。前記出力ポートは、ワイヤーホルダー、プラグ又は導線などである。陽極接触レール及び／又は陰極接触レールが複数設けられるとき、必要に応じて、固定の直列及び／又は並列回路によって接続される。特に、本発明における直並列回路は、直列回路、並列回路、及び直列と並列との組み合わせのいずれか１つである。
【００１５】
本発明のバッテリケースにおいて、従来の様々なバッテリを標準バッテリユニットとすることができるが、本発明の前記第二の目的及び第三の目的に記載の標準バッテリユニットも用いられる。従って、特に説明しない場合には、本発明の標準バッテリユニットは、従来バッテリからなる標準バッテリユニット、及び本発明の第二の目的及び第三の目的に記載の標準バッテリユニットの総称である。説明の便宜上、本発明の後述する記載では、従来バッテリからなる標準バッテリユニット、並びに本発明の第二の目的、及び第三の目的に記載の標準バッテリユニットをバッテリによって総称する。
【００１６】
本発明のバッテリケースにおいて、必要に応じて、各バッテリチャンバーは、一端に標準バッテリユニットの入口が設けられ、他端に標準バッテリユニットの出口が設けられる。
前記バッテリケースにおいて、同一のバッテリチャンバーにバッテリの装入及び退出を兼ねる出入口が１つのみ設けられる。また、バッテリが偶然によって脱落し、水又は他の異物が入ることを防止するために、前記バッテリチャンバーの入口、出口又は出入口に開閉式の保護カバーが設けられる。前記保護カバーとバッテリケースとは締付部材によって接続されてもよいし、バヨネット構造、ヒンジ構造、ロック構造、又はねじ構造によって接続されてもよい。
水又は異物がバッテリチャンバーに入ることによる短絡又は断路等の故障を防止するために、必要に応じて、封止要素又は封止構造が、前記保護カバーと前記バッテリケースとの間に設けられる。前記封止要素としては、封止カバー、封止スペーサー、封止リング、封止バーなどが挙げられる。前記封止構造としては、バヨネット構造などがある。
【００１７】
本発明に係るバッテリケースの電極接触レールは、バッテリの装入方向の側面において、バッテリの電極に対応する部位に設けられる。標準バッテリユニットが配置された後、バッテリの電極が電極接触レールに正確に接触し、電極接触レールの直列及び／又は並列が予め設置され、バッテリユニットを有し、バッテリが正確に配置されると、必要なバッテリパック電圧及びバッテリパック容量に達する。本発明のバッテリケースの電極接触レールは、様々な位置に設けることができる。
【００１８】
例えば、各バッテリチャンバー内において、少なくとも１つの電極接触レールは、バッテリの電極に接触する方向に湾曲弾性を有する良導体からなり、前記良導体の材料より柔軟な弾性材料によってバッテリケースに結合される。必要に応じて、電極接触レールとバッテリケースとの間に絶縁材料層が更に設けられる。或いは、各バッテリチャンバー内において、少なくとも１つの電極接触レールは、剛性がより大きい良導体からなり、電極接触レールとバッテリケースとの間に弾性要素が設けられる。必要に応じて、電極接触レールとバッテリケースとの間に絶縁材料層が更に設けられる。或いは、電極接触レールをバッテリの電極に対して移動又は回動することもできる。
即ち、電極接触レールが固設されたのではなく、必要に応じてバッテリの電極に接触し、又は分離することができる。電動車両の車両類型及び負荷によって、バッテリケースにおいて、バッテリの数又はバッテリ間の直並列及びその組み合わせを制御することによって、適当な電圧及び電気エネルギーの総容量を得られる。この目的を実現するために、バッテリケースにおける陽極接触片及び陰極接触片は、対応して分断されるように設置されてもよい。電極接触片の分断されたセクション同士の異なる接続方式によって、各バッテリ間の直列及び／又は並列を実現できる。これによって、陽極接触片及び陰極接触片が分断されるように設置することで複数のサブバッテリパックが構成され、前記サブバッテリパック間の直列及び／又は並列の組み合わせによって、適切な電圧及び電気エネルギーの総容量が得られる。
【００１９】
本発明のバッテリケースのガイドレールは、摺動ガイドレール又は転動ガイドレールである。前記転動ガイドレールは、典型的には回転ローラからなり、又は回転ローラ及びガイド伝動ベルトからなる。他の転動ガイドレールであってもよい。前記滑動ガイドレールとしては、バッテリチャンバー内に固定されるガイドバーであってもよいし、バッテリケース自身の側壁に設けられるガイド凹凸構造等であってもよく、バッテリを固定及びガイドできればよい。車両が走行するとき、振動によってバッテリを衝撃し、脱落電弧又はバッテリを損壊することを防止するために、ガイドレールとバッテリケースとの間に弾性緩衝スペーサーが設けられる。前記弾性緩衝スペーサーとしては、ゴム材料、弾性発泡材料又は弾性ポリウレタン材料等の弾性材料からなる。これによって、減振性能に影響しないとともに、標準バッテリユニットの角部又は突出部位に弾性緩衝パッドを設けるとき、バッテリからの放熱による不利な影響を防止することができる。
【００２０】
本発明のバッテリケースのバッテリの着脱駆動機構は、バッテリをバッテリケースに装入又は退出するために、更に設けられる。前記着脱駆動機構は、制御システム、駆動電機、減速装置、及び伝動装置からなる。前記伝動装置は、ベルト伝動、又はスプロケット伝動、又は歯車とラックとの伝動、或いはウォームホィールとウォームとの伝動、又はボールとボルトとの伝動である。前記着脱駆動機構は、制御システム、制御弁、及びシリンダ又は液圧シリンダからなる。
【００２１】
バッテリをバッテリケースに位置決めるとともに、使用中、バッテリケース内のバッテリが偶然により振動又はずれることを防止するために、本発明のバッテリケースにおいてバッテリ位置決め機構が設けられる。前記バッテリ位置決め機構は、バッテリチャンバーに進入又は退出させる可動ブロックであり、バッテリチャンバー内の標準バッテリユニットのロッキングを実現又は解除するように、前記可動ブロックをバッテリチャンバーに進入又は退出させるように制御できる。これによって、ガイドレール等の他の構造によって、バッテリケース内のバッテリの位置決めを実現できる。
【００２２】
また、標準バッテリユニットを装入するとき、陽極と陰極との間違いによる不良影響を防止するために、バッテリケースにおけるバッテリチャンバー内に標準バッテリユニット電極の自動識別装置が更に設けられてもよい。前記自動識別装置は、異なる寸法の電極のために設けられるバッテリケースのサイズが異なるチャンバー構造であってもよいし、バッテリチャンバー内に固設され、標準バッテリユニットの溝に適合する突起又は止め釘等であってもよく、バッテリチャンバーの入口又は出入口に設置され、電極に対する特定形状の開口を有するバッフル板であってもよい。
【００２３】
使用中、バッテリケース内のバッテリを適時に放熱し、高温によるバッテリ、バッテリケース及び他の設備の損壊を防止するために、バッテリケース内又はバッテリケースの周囲に冷却放熱システムが設けられる。
前記冷却放熱システムは、吸気ポート及び排気ポートが設けられる空冷通路であってもよい。前記吸気ポートにおいて、交換又は洗浄可能なろ過網が設けられる。バッテリの周囲において通風サブ通路が設けられる。前記通風サブ通路が空冷通路を介して外部空気に連通され、空冷通路にファンが設けられて強制的に通風する。又は、空冷通路の吸気ポートに車両走行の気動圧力を通風動力の動圧とする集気ポートが設けられる。冷却放熱システムも循環放熱管路であってもよい。前記循環放熱管路は、吸熱部、放熱部、循環接続管、及び動力循環ポンプからなり、前記循環放熱管路内に冷媒があり、吸熱部がバッテリの周囲に設けられ、又はバッテリの外壁に接触される。前記放熱部が外部の流通空気に接触され、又は放熱外殻に接触される。
【００２４】
前記冷却放熱システムは、蒸発部、凝縮部、上昇管、及び下降管からなる重力型熱パイプであってもよい。前記蒸発部及び前記凝縮部の少なくとも１つは、複数の連通されるカランドリアからなる。前記カランドリア内に低沸点冷媒がある。前記蒸発部とバッテリが密接に接触され、又は良熱伝導材料によってバッテリに接触され、又はバッテリの周囲に配置される。前記凝縮部が前記蒸発部の上方に設けられ、前記上昇管及び前記下降管によって蒸発部に連通され、前記凝縮部が外部の流通空気に設けられ、又は放熱外殻に接触される。前記放熱外殻は、外部の流通空気に接触される少なくとも一部のバッテリケースの外殻、又は少なくとも一部の電動車両の外殻を備える。
【００２５】
本発明の充電可能な標準バッテリユニットを本発明のバッテリケース内に取り付けることで、本発明の電動車両の電気エネルギー急速補給方法に適用可能な充電可能なバッテリパックが構成される。
前記標準化バッテリセルは、寸法がより小さく、適用性が高いので、この充電可能なバッテリパックを各電動自転車、電気自動車、電気バス、電車等の電動車両に用いると、ガソリンスタンドに類似する充電設備を大規模に建設することに有利であり、本発明の電動車両の電気エネルギー急速補給方法によって、電動車両を急速に充電でき、電動車両の普及に良好な条件を提供できる。
【００２６】
当然のことながら、従来のガソリンスタンドに対応する施設を設けて電動車両にバッテリ交換、充電のサービスを提供するとともに、循環の使用のために、ガソリンスタンドで交換したバッテリを随時に充電する。同様に、トロリーポールと電力網を有する（有線）の都市電車は、車両の消耗電力によって、指定のストップでバッテリの交換及び充電を行い、トロリーポールを根本的に除去することができる。これによって、従来の電動車両の充電時間が長すぎて、広範囲に普及できないという社会問題が根本的に解決できる。
自動充電のために、緩速充電インタフェース及び対応する変電装置がバッテリケースに設けられる。これによって、例えば、駐車場に駐車する等の余った時間で電動車両を充電することができる。ピーク電力で充電することが好ましいが、風力発電又は太陽光発電によって充電することもできる。更に、交換可能なバッテリの在庫がない充電ステーションで急速に充電できるように、バッテリケースに電気ネルギー補給インターフェース及び対応する電気エネルギー補給変電装置が設けられる。
【発明の効果】
【００２７】
本発明の電動車両の電気エネルギー急速補給方法は、標準化の小型バッテリセルからなる標準バッテリユニットによって電気エネルギーを供給し、電動車両のバッテリケースに設置される標準バッテリユニットを急速に着脱することによって、電動車両の電気エネルギー補給が実現される。電動車両の仕様によって、標準バッテリユニットを規格化してから、従来のガソリンスタンド又は車両の固定ストップで電動車両をバッテリ交換及び充電することによって、電動車両の充電を現在の自動車給油と同程度に急速に充電することができる。交換されたバッテリは、繰り返して使用するために、ガソリンスタンド又は車両のストップで改めて充電される。なお、当然ながら、ガソリンスタンドに類似する大規模な充電設備を建設してもよい。
【００２８】
本発明の電動車両の電気エネルギー急速補給方法によれば、直前の電動車両の充電時間が長すぎ、運転手の待ち時間が長くなり、かつ敷地面積が大きくて広範囲に普及し難いという社会問題が解決され、電動車両の適用を促進することに有利であるとともに、省エネルギーであり、排気ガスを減少でき、騒音を低減できるので環境保護の目的も実現できる。
【００２９】
本発明の標準バッテリユニットは、使用するのに便利であり、性能が信頼でき、特に、本発明の電動車両の電気エネルギー急速補給方法に適用される。本発明の標準バッテリユニットは、寸法が小さく、重量がより軽く、操作が容易で、適用性が高いので、市場におけるほとんどの車両類型に適用でき、総表面積が大きく、放熱しやすい。本発明の標準バッテリユニットによれば、電動車両に中低電圧のバッテリを用いることができ、充電及び使用時に更に安全になる。本発明のバッテリケースは、構造が簡単で、動作が信頼でき、バッテリを容易に交換でき、更に、放熱装置が設けられるので、安全で信頼でき、様々な電動車両に適用でき、適用範囲が非常に広い。
【００３０】
本発明の標準バッテリユニットを本発明のバッテリケースに装入してなる充電可能なバッテリパックを、電動車両に装備した後、必要に応じて、バッテリケース内の標準バッテリユニットを急速に交換でき、充電が更に便利で快速になる。
【００３１】
以上説明したように、本発明の電動車両の電気エネルギー急速補給方法及びその給電装置は、電動自転車、電気自動車、電気バス、電車、有線電車等の様々な電動車両、及びデュアルモード電動車両又は電動船舶等の電気駆動交通機関に適用でき、広い市場があり、経済効果及び社会効果が非常に大きいので、重要な適用価値を有し、国及び人々に有益な技術である。
【図面の簡単な説明】
【００３２】
【図１】図１は、本発明に係る標準バッテリユニットの構造概略図の１である。
【図５０】図５０は、図１の左側面図である。
【図２】図２は、本発明に係る標準バッテリユニットの構造概略図の２である。
【図５１】図５１は、図２の左側面図である。
【図３】図３は、本発明に係る標準バッテリユニットの構造概略図の３である。
【図５２】図５２は、図３の左側面図である。
【図４】図４は、本発明に係る標準バッテリユニットの構造概略図の４である。
【図５３】図５３は、図４の左側面図である。
【図５】図５は、本発明に係る標準バッテリユニットの構造概略図の５である。
【図５４】図５４は、図５の左側面図である。
【図５５】図５５は、本発明に係る標準バッテリユニットの構造概略図の６である。
【図６】図６は、本発明に係る標準バッテリユニットの構造概略図の７である。
【図７】図７は、本発明に係る標準バッテリユニットの構造概略図の８である。
【図８】図８は、図７の左側面図である。
【図９】図９は、本発明に係る標準バッテリユニットの構造概略図の９である。
【図５６】図５６は、図９の左側面図である。
【図５７】図５７は、図９に示す本発明の標準バッテリユニットの外形の概略図の１である。
【図５８】図５８は、図９に示す本発明の標準バッテリユニットの外形の概略図の２である。
【図１０】図１０は、本発明に係るバッテリケースの構造概略図の１である。
【図１１】図１１は、図１０のＡ−Ａに沿った断面図である。
【図１２】図１２は、図１１に示す本発明のバッテリケースの適用概略図である。
【図１３】図１３は、図１２のＢ−Ｂに沿った断面図である。
【図１４】図１４は、本発明に係るバッテリケースの構造概略図の２である。
【図１５】図１５は、本発明に係るバッテリケースの構造概略図の３である。
【図１６】図１６は、本発明に係るバッテリケースの構造概略図の４である。
【図５９】図５９は、図１６に示すバッテリケースにおける電極接触レールの接続原理図である。
【図１７】図１７は、図１６のＣ−Ｃに沿った断面図である。
【図１８】図１８は、図１６に示す本発明のバッテリケースの適用概略図である。
【図１９】図１９は、図１８のＥ方向概略図である。
【図２０】図２０は、本発明のバッテリケースの構造概略図の５である。
【図２１】図２１は、図２０のＦ方向概略図である。
【図２２】図２２は、図２０に示す本発明のバッテリケースの適用概略図である。
【図２３】図２３は、図１６及び図２０に示す本発明のバッテリケースの適用概略図である。
【図２４】図２４は、本発明のバッテリケースの構造概略図の６である。
【図２５】図２５は、図２４のＫ方向概略図である。
【図６１】図６１は、図２４に示すバッテリケースの電極接触レールの構造概略図である。
【図２６】図２６は、図２４において標準バッテリユニットと電極接触レールとの間の回路を示す概略図である。
【図２７】図２７は、図２４に示す本発明のバッテリケースの適用概略図である。
【図２８】図２８は、本発明のバッテリケースの構造概略図の７である。
【図２９】図２９は、本発明に係る標準バッテリユニットの構造概略図である。
【図３０】図３０は、図２９の左側面図である。
【図３１】図３１は、本発明のバッテリケースの構造概略図の８である。
【図３２】図３２は、図３１の上面図である。
【図３３】図３３は、図３１に示す本発明のバッテリケースの適用概略図である。
【図３４】図３４は、本発明のバッテリケースの構造概略図の９である。
【発明を実施するための形態】
【００３３】
実施例１
図１及び図５０に示すように、本発明の標準バッテリユニットは、１つのバッテリセル８７を有する。バッテリセル８７の陽極に、良導体材料である金属から形成されるバネからなる弾性伸縮構造１７が設けられる。
異物がバネ１７内に入ることを防止するために、バネ１７の先端には良導体材料である金属からなる電極キャップ１６が更に設けられる。電極キャップと陽極とは相対的に摺動可能である。また、電極キャップは、バネ１７によって付勢されているので、常に陽極に接続される。本実施例では、バッテリセルの陰極は、通常のプレート構造を用いている。
【００３４】
本実施例におけるバッテリセル８７は、鉛酸バッテリ、鉛酸コロイドバッテリ、金属水素化物／ニッケルバッテリ、リチウムイオンバッテリ、及びリチウム金属バッテリから選ばれるいずれかであって、分解できない独立のバッテリセルである。
【００３５】
弾性伸縮構造が電極に設けられているため、使用中、電極は、伸縮量を自由に調整でき、接続し合う回路の接続ポートに常に確実に接触され、作動性能も更に安定になる。
【００３６】
本実施例中では、円柱形のバッテリセル８７を一例として説明したが、実際に適用するとき、長方形のバッテリセル又は他の形状のバッテリセルも採用できる。いずれも本発明の保護範囲内にある。この点については、特に説明が必要ない場合には、本発明の全ての標準バッテリユニットに適用できるので、以下の実施例では重複して説明しない。
【００３７】
実施例２
図２及び図５１に示す本発明の標準バッテリユニットは、実施例１との相違点は、バッテリセル８７の両端にそれぞれの端面から突出する電極が設けられ、陽極及び陰極に弾性伸縮構造１７及び１９がそれぞれ設けられる点である。
本実施例では、弾性伸縮構造１７及び１９は、いずれも弾性ゴム材料からなる。
弾性伸縮構造１７に設けられる電極キャップ１６は、良導体材料である金属からなり、導線２８を介してバッテリセル８７の陽極に接続される。
弾性伸縮構造１９に設けられる電極キャップ１８は、良導体材料である金属からなり、導線２９を介してバッテリセル８７の陰極に接続される。
電極キャップの偶然の脱落による不良の影響を避けるため、電極キャップと電極との接続強度について注意すべきである。
【００３８】
本実施例では、長方形のバッテリセル８７を一例として説明し、電極キャップ１６の横断面が円形である。また、電極キャップ１８の横断面も円形であってもよい。簡単な通常の形状であるから、文字のみで説明して、図示しない。また、陰極と陽極とを区別するために、電極キャップ１６が電極キャップ１８より大きく示されている。
【００３９】
実際に説明したいのは、電極キャップの外形を正方形、三角形等の他の形状に形成してもよい。更に、電極キャップ１６と電極キャップ１８とを色、寸法、形状等から区別することができる。寸法によって自動識別化を最も容易に実現でき、電極方向の入れ違いを効果的に防止できる。また、弾性伸縮構造は、上述した金属バネ及びゴム材料からなる他に、弾性ポリウレタン等の材料によっても、同様の効果を実現できる。
【００４０】
実施例３
図３及び図５２に示す本発明の標準バッテリユニットは、実施例２との相違点が、例えば、円柱形のバッテリセル８７として、弾性伸縮構造１７及び１９がいずれも金属バネからなり、電極キャップ１６及び電極キャップ１８の横断面が正方形に設けられる点である。
また、標準バッテリユニットを繰り返して着脱するときに過度の摩損によって損壊されることを防止するために、バッテリセル８７上に耐摩耗層１５が更に設けられる。本実施例では、前記耐摩耗層１５は、耐摩耗性及び耐熱性を有するエンジニアリング・プラスチックからなる。
【００４１】
本実施例に記載の標準バッテリユニットは、耐摩耗層１５を有するので、標準バッテリユニット自身を確実に保護でき、標準バッテリユニットの外殻に対する摩損を低減できるので、製品の使用寿命が大幅に向上する。
【００４２】
標準バッテリユニットの放熱のために、耐摩耗層は、標準バッテリユニットが使用中に外部構造に接触する部位のみにおいて、適切かつに部分的に設置されるのが好ましい。当然ながら、放熱性が極めてよい材料からなる耐摩耗層であれば、電極位置以外に、標準バッテリユニットの全面に設置される可能性もあるが、放熱性及びコスト低減の面から見て、適切かつ部分的に設ければよい。耐摩耗層は、前記エンジニアリング・プラスチック以外に、発泡材料又はポリウレタン等の材料から形成されてもよく、緩衝機能を有していてもよい。
【００４３】
実施例４
本発明においては、陽極及び陰極が、それぞれバッテリセル８７の両端に設けられる構造以外に、陽極及び陰極がバッテリセル８７の同一端に設けられる構造にも適用できる。図４及び図５３に示す本発明の標準バッテリユニットは、実施例３との相違点が、バッテリセル８７の外形が長方形であり、かつその陽極及び陰極が同一端面に設けられる点である。陽極と陰極を区別するため、陽極に接続される電極キャップ１６が赤色であり、陰極に接続される電極キャップ１８が緑色である。なお、以上の色は図示せず、文字のみで説明する。
【００４４】
また、外部衝撃による偶然の損壊を防止するために、弾性緩衝パッド８０が本発明の標準バッテリユニットに更に設けられる。本実施例では、放熱のために、弾性緩衝パッド８０が同様に部分的に設けられる。弾性緩衝パッド８０はゴム材料からなる。
【００４５】
弾性緩衝パッドを設けることによって、標準バッテリユニットの偶然な損壊に抵抗する能力が大幅に大きくなるので、製品の使用寿命の向上に有利である。更に、弾性緩衝パッドも外部構造に接触する標準バッテリユニットの表面に設けられるので、標準バッテリユニットを効果的に保護でき、過度の摩損が避けられる。従って、弾性緩衝パッドも耐摩耗層の作用を有する。
【００４６】
弾性緩衝パッドは、ゴム材料以外にも、弾性ポリウレタン、又は弾性発泡材料等の材料からなってもよい。
【００４７】
色によって電極を区別できるが、バッテリの電極を自動で識別してエラー修正するために、陽極電極キャップと陰極電極キャップとを異なる形状、又は異なる寸法に設けることが好ましい。
【００４８】
実施例５
図５及び図５４に示す本発明の標準バッテリユニットは、実施例１との相違点が、標準バッテリユニットは、４つの円柱形のバッテリセル８７を２つずつ直列してから導線８２によって並列に接続され、使用中に分解できない標準外殻５８内に設けられる点である。
標準外殻５８に、陽極８１及び良導体である金属板からなる陰極８３を有する電極が設けられる。陽極８１は導線８２を介してバッテリセル８７からなるバッテリパックに接続される。
前記「使用中」とは、標準バッテリユニットの正常な使用寿命の周期内である。本実施例において、標準外殻５８は、絶縁性のエンジニアリング・プラスチック材料からなる。放熱のために、標準外殻５８には外部に連通するための貫通孔６２が複数設けられる。バッテリセルと標準外殻との隙間、及び貫通孔６２によって、バッテリセルの作動時の熱を放熱する通路が形成される。
【００４９】
本実施例の技術原理を説明するために、標準外殻内に４つのバッテリセルを設けることを一例として説明したが、実際に適用するときには、必要に応じて、バッテリセルの数を適宜調整できる。また、本実施例の技術原理に基づき、標準外殻内のバッテリセル間の接続関係は、２つずつ直列されてから導線によって並列に接続される以外に、必要に応じて、直列、並列、又は直列と並列との組み合わせによって接続されてもよい。その基本原理は、バッテリセル間の直列によって標準バッテリユニットの定格電圧を拡充し、バッテリセル間の並列によって標準バッテリユニットの容量を拡充することである。なお、接続としては、導線だけでなく、良導体である金属板、金属バー等の材料を用いても同様の効果が得られる。
【００５０】
実施例６
図５及び図５５に示す標準バッテリユニットは、実施例５との相違点が、標準外殻５８内に８つのバッテリセル８７が設けられる点である。
前記バッテリセルは、４つずつの両列で標準外殻５８に設けられ、両列のバッテリセルが導線８２によって並列されてから陽極８１に接続される。具体的な接続回路は、通常技術であり、非常に簡単なので、ここでは図面を参照して説明しない。
【００５１】
本実施例に記載の技術原理に基づき、実施例５に記載の技術原理を参照して分かるように、本発明の標準バッテリユニットは、必要に応じて、標準外殻内のバッテリセルの数及び配列方式を変更することができ、いずれも本発明の保護範囲内に含まれる。
【００５２】
実施例７
図６に示す標準バッテリユニットは、実施例５との相違点が、標準バッテリユニットの陽極に弾性伸縮構造１７が設けられ、該弾性伸縮構造１７が良導体材料である金属からなるバネによって構成される点である。異物がバネ内に入ることを防止するため、バネの先端に良導体材料である金属からなる電極キャップ１６が更に設けられる。
【００５３】
金属バネは良好な導電性を有するので、この金属バネによって電極キャップ１６と標準バッテリユニットの陽極８１とを直接接続でき、導線を設ける必要がない。
【００５４】
当然のことながら、本実施例に記載の標準バッテリユニットの電極の弾性伸縮構造は、ゴム材料、又は弾性ポリウレタン材料から形成されていてもよい。
【００５５】
実施例８
図７及び図８に示す標準バッテリユニットは、実施例７との相違点が、外形が長方形であるバッテリセル８７を用いる点である。
バッテリセル８７には、弾性ポリウレタン材料からなる弾性緩衝パッド８０が設けられる。また、標準バッテリユニットの陽極では、電極キャップ１６が導線８４を介してバッテリセル８７の陽極に接続される。標準バッテリユニットの陰極では、標準外殻５８の端面から突出する電極が設けられ、電極に良導体である金属バネ１９からなる弾性伸縮構造及び電極キャップ１８が設けられる。電極キャップ１８は導線８５を介してバッテリセル８７の陰極に接続される。
【００５６】
このような標準バッテリユニットは、内部のバッテリセルに弾性緩衝パッドが設けられているので、外部衝撃に対する能力がより強くなる。更に、陽極及び陰極には、いずれも弾性伸縮構造が設けられているので、性能がより安定になる。
【００５７】
実施例９
図９及び図５６に示す標準バッテリユニットは、実施例８との相違点が、標準バッテリユニットの陽極及び陰極が標準外殻の同一端に設けられ、標準外殻５８内の４つのバッテリセル８７が、互いの電極間の接続及び導線８６の接続によって４つのバッテリセルを直列してなるバッテリパックを構成する点である。
バッテリパックの陽極及び陰極は、それぞれ導線８４及び導線８５を介して陽極の電極キャップ１６及び陰極の電極キャップ１８に接続される。また、標準外殻５８の表面にエンジニアリング・プラスチックからなる耐摩耗層１５が更に形成される。標準バッテリユニットの陽極と陰極を区別するために、陽極の電極キャップ１６及び陰極の電極キャップ１８の横断面は、それぞれ円形及び正方形に形成される。
【００５８】
本実施例では、標準バッテリユニットに耐摩耗層が設けられるので、耐摩耗性が更に向上し、使用寿命がより長くなる。本実施例では、上記原理に基づき、異なる形式のバッテリセルを用いて、本発明の標準バッテリユニットの具体的な形式が多種類存在する。例えば、バッテリセルの形状及び配置形式によって、本発明の標準バッテリユニットの形状は、図５７又は図５８に示すように形成されてもよい。いずれも本発明の保護範囲内に含まれる。
【００５９】
実施例１０
図１０及び図１１に示す本発明のバッテリケースは、絶縁性のエンジニアリング・プラスチックからなるバッテリケース主体１を有する。
複数の標準バッテリユニット７を収容可能なバッテリチャンバー１０１がバッテリケース主体１内に設けられる。バッテリチャンバー１０１内には、標準バッテリユニット７の装入方向に沿ってガイドレール８が設けられる。前記ガイドレール８は摺動ガイドレールであり、バッテリケース自身が凹凸構造を有している。バッテリチャンバー内に、バッテリの装入方向の側面に標準バッテリユニットの電極に直接接触する電極接触レールが更に設けられ、電極接触レールが陽極接触レール２と陰極接触レール４からなる。外部回路に接続される出力ポート３が陽極接触レール２に設けられ、外部回路に接続するための出力ポート６が陰極接触レール４に接続される。出力ポート３及び出力ポート６によって外部動力装置の回路に接続されることにより、電動車両に給電して、運転することができる。
【００６０】
陽極接触レール２は、標準バッテリユニットの電極に接触する方向に湾曲弾性を有する良導体材料からなり、本実施例では銅材であり、銅材より柔軟な耐熱ゴムスペーサー１００によってバッテリケース主体１と接続される。陰極接触レール４は、剛性がより大きい良導体材料からなり、本実施例では銅材である。標準バッテリユニットとの効果的な接触を確保するために、陰極接触レール４とバッテリケース主体１との間に弾性要素５が更に設けられる。本実施例における弾性要素５は金属コイルバネである。
バッテリチャンバー１０１の両端に入口及び出口がそれぞれ設けられる。入口及び出口に保護カバー９ａ及び９ｂがそれぞれ設けられる。水、異物又は塵埃等がバッテリチャンバーに入ることで回路が偶然の短絡又は断路することを防止するため、バッテリケース主体１に封止材９０が設けられる。本実施例では、封止材９０はゴム封止スペーサーである。また、標準バッテリユニットを円滑に装入するために、図１１に示すように、陰極接触レール４は入口で部分的に湾曲され、ラッパ形状をなす。
【００６１】
バッテリケース内にバッテリ位置決め機構が設けられる。
本実施例におけるバッテリ位置決め機構は、保護カバー９ａ及び９ｂに設けられる突起部である。即ち、バッテリチャンバー内に嵌め込まれるストッパー１０２及びストッパー１０３である。バッテリを装入するとき、バッテリ出口の保護カバー９ｂ及びストッパー１０３を位置決めする。そして、バッテリチャンバー内に所定数のバッテリを装入してから、締付部材（具体的に図示しない）によって保護カバー９ａとバッテリケースとを一体に接続する。このとき、ストッパー１０２がバッテリチャンバー内のバッテリを効果的に位置決める。本実施例では、電極が並列に接続されるので、標準バッテリユニットが位置決めされた後、バッテリの電極が電極の接触レールに接触され、バッテリが並列になり、バッテリパックが要求されるバッテリパック定格電圧及びバッテリパック容量になる。
【００６２】
以下、従来のバッテリセルを標準バッテリユニット７として本発明のバッテリケースに適用する例を説明する。
本実施例では、バッテリケース内に設けられる標準バッテリユニット７は、具体的には、円柱形状のリチウムバッテリである。電動自転車に適用されるとき、図１２及び図１３に示すように、本実施例のバッテリケースと標準バッテリユニット７とからなる充電可能なバッテリパックを電動自転車１０のフレーム１１内に予め設置する。フレーム１１は軽金属材料１３からなる。標準バッテリユニット７は、バッテリケースのバッテリチャンバー内に設けられ、入口がサドル１２の下方に設けられ、保護カバー９ａとサドル１２が一体に設置され、バッテリケースと保護カバーとの間の締付部材を開放してサドル１２を開くと、保護カバー９ａが同時に開ける。電動自転車１０は充電する必要があるとき、バッテリ交換ステーションに入り、費用を納付してバッテリケース内の電力が不足している標準バッテリユニットを充電済の標準バッテリユニットに交換する。
【００６３】
以下は具体的な方法である。
（１）電動自転車がバッテリ交換ステーションのバッテリ交換箇所に入って、運転手が標準バッテリユニットの仕様及び数量によって交換しようとする標準バッテリユニットを発注し、保護カバー９ａ及び９ｂを開き、バッテリケースをバッテリ交換状態に切替えるとともに、バッテリケース内の標準バッテリユニット７のロッキングを解除する。
（２）バッテリ交換装置（具体的に図示しない）の取付口と電気自動車のバッテリケースの入口とを結合し、バッテリ交換装置をオンにして、発注された標準バッテリユニットの仕様及び数量によって、バッテリケースの入口からフル充電された標準バッテリユニットを１つずつ送入するとともに、バッテリケースのバッテリチャンバー内の電力が不足している標準バッテリユニットがバッテリケースの出口から１つずつ退出させ、専用の容器に収納する。
（３）バッテリ交換装置は、装入された標準バッテリユニットの仕様、数量及び価格を同時に表示する。
（４）バッテリケース内の電力が不足している標準バッテリユニットが交換された後、バッテリ交換装置を外し、保護カバー９ａ及び９ｂを改めて固定し、バッテリパック内の標準バッテリユニットをロッキングし、電気自転車の充電が完了する。
（５）標準バッテリユニットは、バッテリケースに放置されてロッキングされた後、電極接触レールに正確に接触させて、電極接触レールによって組み合わせ、所定のバッテリパック定格電圧及びバッテリパック容量が達成される。
（６）この間、運転手が発注したバッテリ交換数に応じて費用を納付し、又は最終の実際に交換されたバッテリ数量によって費用を納付する。
（７）交換された電力が不足している標準バッテリユニットを充電庫で充電し、充電済の標準バッテリユニットをバッテリ庫に収納しておく。
【００６４】
電動自転車の定格作動電圧がより低くなり、用いられる標準バッテリユニットの数も少なくて、重量もより軽いので、容易にバッテリを交換できる。カートリッジに装入するように充電された標準バッテリユニットをバッテリケースの入口から装入するとともに、バッテリケース内にあった電力が不足している標準バッテリユニットを出口から退出させる。なお、バッテリを全て退出させてから、装入してもよい。いずれも十分に便利で快速である。
【００６５】
実施例１１
図１４に示す本発明のバッテリケースは、実施例１０との相違点が、ガイドレール８がバッテリチャンバー内に固設されたガイドバーである点にある。
電動車両の運転中に振動による接触不良又はバッテリ標準ユニットの偶然な損壊等を防止するために、ガイドレール８とバッテリケースとの間に弾性ポリウレタン材料からなる弾性緩衝スペーサー１４が更に設けられる。
【００６６】
また、バッテリ７（即ち、標準バッテリユニット）が重複に充電し、着脱するときにガイドレール８と接触することが多すぎることで、過度に摩損されて損壊されることを防止するために、標準バッテリユニットにおいてガイドレール８に対応する位置に耐摩耗層１５が設けられる。本実施例における耐摩耗層１５は、テトラフルオロエチレン材料からなる。
また、標準バッテリユニット７の電極に弾性伸縮構造が設けられる。本実施例における弾性伸縮構造はバネ１７からなる。異物がバネ内に入ることを防止するために、バネの端部に良導体材料である金属からなる電極キャップ１６が更に設けられ、バッテリの電極上に弾性伸縮構造が設けられるので電極と陽極接触レールとの確実な接触が確保される。また、陰極接触レールとバッテリケースとの間に弾性要素が設けられる。このようなバッテリケースは、電極と電極接触レールとを常に良好に接触でき、高い信頼性を有している。
【００６７】
本実施例の標準バッテリユニットは、耐摩耗層１５が設けられているので、使用寿命がより長くなる。本実施例のバッテリケースは、ガイドレールとバッテリケースとの間に弾性緩衝スペーサー１４が設けられているので、耐振動性も大幅に向上し、性能が更に安定になり、使用寿命も長くなる。
【００６８】
実施例１２
図１５に示すように、本実施例と実施例１１との相違点は、標準バッテリユニット７上に弾性ゴムからなる弾性緩衝パッド８０が直接設けられる点である。これによって、本実施例のバッテリケースでは、ガイドレール８とバッテリケース主体１との間に弾性緩衝スペーサーを更に設ける必要がなくなり、ガイドレール８とバッテリケース主体１とを直接固定すればよい。
【００６９】
このような本発明の標準バッテリユニットによって、バッテリチャンバー内の空間が節約され、バッテリケース全体の寸法がコンパクトになり、電動車両の空間利用率が向上する。また、弾性緩衝パッド８０は、標準バッテリユニット７とガイドレールとの間の過度な摩損を防止できるので、弾性緩衝パッド８０は耐摩耗層としても機能する。
【００７０】
実施例１３
図１６、図５９及び図１７に示す本発明のバッテリケース及び標準バッテリユニットは、実施例１１との相違点が、バッテリケース内にバッテリチャンバー１０１が２つ設けられる点である。２つのバッテリチャンバーにおける標準バッテリユニットからなるサブバッテリパックは、最終的に導線２０を介して並列接続される。並列回路は公知技術であり、非常に簡単であるため、本実施例では、２本の導線２０によって２つのバッテリチャンバーをどのように並列接続するかについては詳しく説明しない。
【００７１】
ガイドレール８は、絶縁性で表面が滑らかなベークライト材料からなる。ガイドレールの下には、ゴム材料からなり、標準バッテリユニット７の摩損を低減できる弾性緩衝スペーサー１４が設けられる。従って、標準バッテリユニット７に耐摩耗層が設けられる構造は、バッテリに耐摩耗層を設けることでバッテリの放熱に対する不利な影響が防止できる。バッテリケース内のバッテリからの放熱のために、バッテリケースに外部に連通される貫通穴２２が複数設けられる。
【００７２】
また、標準バッテリユニット７に、陰極接触レール４に対応する電極にも弾性伸縮構造が設けられる。前記弾性伸縮構造はバネ１９を有する。バネ１９の端部に良導体材料である金属からなる電極キャップ１８が設けられる。標準バッテリユニット７の陰陽両極は、標準バッテリユニットの両端に設けられ、かつ標準バッテリユニットの対応端面から突出する。バッテリの陰陽両極を区別し、誤用を防止するために、電極キャップ１８及び電極キャップ１６は寸法の他に、形状も異なる。
【００７３】
本実施例では、電極キャップ１６が円柱形状であり、電極キャップ１８が正方形である。陽極接触レール２及び陰極接触レール４は、外部回路に接続するための出力ポート３及び出力ポート６にそれぞれ接続する。本実施例では、出力ポート３及び出力ポート６は、いずれも導線である。使用中、バッテリケース内のバッテリの熱を適宜に放熱するために、バッテリケース内に冷却放熱システムが設けられる。前記冷却放熱システムは、吸熱部２３、放熱部２６、循環接続管２４、及び動力循環ポンプ２５からなる循環放熱管路である。循環放熱管路内に冷媒が装入され、動力循環ポンプ２５が冷媒の循環に動力を供給し、吸熱部２３がバッテリケース内のバッテリ７の周囲に設けられ、冷媒が吸熱部に運ばれるときバッテリケース内の熱を放熱しバッテリの温度を降下させる。放熱部２６が外部の流通空気に接触し、吸熱後の冷媒が放熱部に移動されるときに熱を空気に放熱し、冷却後の冷媒が循環接続管を介して吸熱部に戻り、次の循環を開始する。
【００７４】
バッテリチャンバー１０１の入口及び出口に保護カバー９ａ及び９ｂがそれぞれ設けられる。保護カバー９ａ及び９ｂとバッテリケースとの間は、バヨネットによって接続される。異物の混入を防止するために、保護カバーとバッテリケースとの間に封止材９０が設けられる。
本実施例では、封止材９０は保護カバーに設けられ、ゴム、プラスチック材料からなるバヨネット構造であり、バッテリケースのバヨネット部分に係合された後、自己封止を形成できる。入口及び出口にバッテリ位置決め装置が更に設けられる。本実施例では、バッテリ位置決め装置は、バッテリチャンバーを挿抜可能な可動ブロック２１である。
【００７５】
また、本発明のバッテリケースにおける標準バッテリユニットは、中低圧バッテリであり、システムの定格電圧を適度に大きくするために、各バッテリチャンバー１０１における標準バッテリユニット７の間も直列に設けられる。このために、図５９に示すように、本実施例では、電極接触レールが部分的に複数のセクションに分断されるように設けられ、標準バッテリユニットを円滑に挿入するために、陽極接触レールのセクション同士の間に絶縁材料セクション９１によって一体に接続されるとともに、陰極接触レールのセクション同士の間も絶縁材料セクション９１によって一体に接続される。陽極接触レールのセクションと陰極接触レールのセクションとの間は導線によって順次に直列に接続される。
【００７６】
図５９に示すように、陽極接触レールのセクション２.１と陰極接触レールのセクション４.２との間、陽極接触レールのセクション２.２と陰極接触レールのセクション４.３との間・・・乃至陽極接触レールのセクション２.ｎと陰極接触レールのセクション４.(ｎ＋１)との間は、それぞれ導線９２によって接続され、電極接触レールの端部の陽極接触レールのセクション２.(ｎ＋１)、及び陰極接触レールのセクション４．１に出力ポート３及び出力ポート６が設けられる。これによって、標準バッテリユニットに装入された後、隣接する標準バッテリユニット間は順次に直列に接続され、直列の給電バッテリパックを構成する。
【００７７】
電気自動車に適用する場合、図１８及び図１９に示すように、本実施例のバッテリケース及び標準バッテリユニットを組み立て充電バッテリパックを構成して電気自動車２７のＤのところに予め設置し、出力ポート３及び出力ポート６を介して自動車駆動装置の回路に接続し、電気自動車に動力を提供する。電気自動車２７が充電される必要があるとき、バッテリ交換ステーションに入って費用を納付してバッテリケース内の電力が不足している標準バッテリユニットを充電された標準バッテリユニットに交換する。
【００７８】
以下は具体的な方法である。
（１）電気自動車がバッテリ交換ステーションのバッテリ交換箇所に入り、運転手が標準バッテリユニットの仕様及び数量によって交換しようとする標準バッテリユニットを発注し、保護カバー９ａ及び９ｂを開き、バッテリケースをバッテリ交換状態に切替えるとともに、可動ブロック２１を抜いて標準バッテリユニット７のロッキングを解除する。
（２）バッテリ交換装置（具体的に図示しない）の装入口と電気自動車のバッテリケースの入口とを結合し、バッテリ交換装置をオンにして、発注された標準バッテリユニットの仕様及び数量に応じて、バッテリケースの入口からフル充電された標準バッテリユニットを１つずつ送入するとともに、バッテリケースのバッテリチャンバー内の電力が不足している標準バッテリユニットをバッテリケースの出口から１つずつ退出させ、専用の容器に収納される。
（３）バッテリ交換装置は、装入された標準バッテリユニットの仕様、数及び価格を同時に表示する。
（４）バッテリケース内の電力が不足している標準バッテリユニットが交換された後、バッテリ交換装置を外し、保護カバー９ａ及び９ｂを改めて固定し、可動ブロック２１を挿入し、バッテリパック内の標準バッテリユニットをロッキングし、電動車両の充電が完了する。
（５）標準バッテリユニットがバッテリケースに放置されてロックされた後、電極接触レールに正確に接触させて、電極接触レールと組み合わせて所定のバッテリパックの定格電圧及びバッテリパック容量が達成される。
（６）この間、運転手が発注したバッテリ交換数に応じて費用を納付するか、又は最終の実際に交換されたバッテリ数量によって費用を納付する。
（７）交換された電力が不足している標準バッテリユニットを充電庫で充電し、充電済の標準バッテリユニットをバッテリ庫に収納しておく。
【００７９】
また、本実施例では、２つの循環放熱管路を配置することを例として説明したが、実際に、必要に応じて１つのみを設置してもよい。また、管路は、バッテリを放熱できれば、他の構造で構成されてもよい。冷却放熱システムは、バッテリの周囲に設けられる以外に、バッテリチャンバー内に設けられ、バッテリの外壁に直接接触することもでき、放熱効率が向上する。放熱部は、本実施例のように外部流通空気に接触する以外に、電動車両の放熱外殻に接触してもよい。前記放熱外殻は、放熱のための車体外殻部分又はバッテリケース外殻部分であってもよい。
【００８０】
本実施例に記載の技術原理により、所定の作動電圧及び容量を満たすために、実際の状況によって、単独のバッテリチャンバーの寸法及び標準バッテリユニットを収容する数を調整できるだけでなく、バッテリチャンバーの直列又は並列関係も調整でき、更にバッテリチャンバー数量も調整できる。
例えば、本実施例の接続方式によって、電圧が３.３Ｖであり、容量が６０Ａ・ｈの標準バッテリユニット（本実施例では、リチウム金属バッテリである）を用いれば、ｎ＋１＝１００のとき、バッテリケースの総電圧は各チャンバーの直列総電圧が３３０Ｖになり、総容量は２つのチャンバーの容量の和が１２０Ａ・ｈになる。各バッテリチャンバー内に５０個の標準バッテリユニットを設置すれば、４つのバッテリチャンバーを２つずつ直列してから、並列することで、総電圧も３３０Ｖになり、総容量も１２０Ａ・ｈになる。これによって、総電圧及び総容量に対する要求が同じであるときに、電気自動車内の可用空間の分布、及び標準バッテリユニットの大きさによって、バッテリチャンバー及びバッテリケースの形状、寸法、数、及び分布を最適化できるので、電気自動車全体の優れた設計が大幅に容易になる。
【００８１】
実施例１４
図２０及び図２１に示す本発明のバッテリケース及び標準バッテリユニット７は、実施例１３との相違点が、バッテリチャンバーが“Ｕ”字形に設けられ、バッテリチャンバーの外側にベークライト材料からなるガイドレール８が用いられる点である。
また、バッテリチャンバーの中部に回転可能な回転ローラ３３及びガイドベルト３２からなる回動ガイドレールが更に設けられる。標準バッテリユニット７の陰陽電極に弾性ポリウレタン材料からなる弾性伸縮構造１７及び１９がそれぞれ設けられる。弾性伸縮構造１７及び１９に、陰陽電極を電極キャップ１６及び電極キャップ１８に接続する導線２８及び２９が設けられる。陽極接触レール２及び陰極接触レール４に外部回路に接続するための出力ポート３、６が設けられる。
【００８２】
ここで、出力ポート３及び６は、いずれも標準ホルダーである。バッテリチャンバーの出口及び入口に保護カバー９が設けられる。保護カバー９は、一端がバッテリケース主体１に枢着され、他端がバヨネットを介してバッテリケースに堅固に接続される。保護カバーに設けられる封止材９０は、保護カバーを係合した後、バッテリチャンバーを封止する。本実施例では、封止要素は弾性ポリウレタンの封止バーである。保護カバーに設けられる突起は、バッテリチャンバーに進入又は押し出し可能な可動ブロック１０４を構成する。保護カバー９を係合するとともに、可動ブロックはバッテリを自動的に位置決めする。また、標準バッテリユニット７を装入するとき、陽極と陰極との間違った装入を防止するために、バッテリチャンバー内に電極に対する自動識別装置２０６が更に設けられる。本実施例では、自動識別装置２０６は、標準バッテリユニット７のケースに設けられる溝に係合するピンである。
【００８３】
バッテリケースには、放熱のための貫通孔２２が設けられる。また、バッテリの周囲に設けられるバッテリケース主体１の表面に冷却放熱管路が設けられる。本実施例では、冷却放熱システムは重力型熱パイプであり、重力型熱パイプは、蒸発部、凝縮部３５、上昇管３０及び下降管３１からなる。
蒸発部は、複数の連通される蒸発部のカランドリア３４からなり、バッテリ周囲のバッテリケースの表面に囲まれる。カランドリア３４内に低沸点冷媒があり、凝縮部３５が蒸発部の上方に形成され、複数の連通されるカランドリアからなり、上昇管３０及び下降管３１によって蒸発部に連通される。凝縮部３５が外部の流通空気にある。維持を容易にするために、上昇管３０及び下降管３１において制御弁３６がそれぞれ設けられ、上昇管の最も高いところに低沸点冷媒を添加するための開口が設けられ、該開口に制御弁が設けられる。
【００８４】
蒸発部は、バッテリの放熱を吸収した後、蒸発部のカランドリア３４内の低沸点冷媒が気体に加熱され、上昇管３０に沿って凝縮部３５に入り、凝縮部が空気へ放熱した後、低沸点冷媒が液体に回復し、下降管３１に沿って蒸発部に戻り、次の熱循環を開始する。このような重複の熱循環によって、バッテリケース内のバッテリの熱量が適時に放出でき、高温によるバッテリ、バッテリケース及び他の設備の損壊が避けられる。放熱過程中にエネルギーを余分に消耗せず、省エネルギーで環境を保護し、経済性もよく、熱パイプの熱伝導効率が高く、バッテリの作動中に温度がより低くなるので、その使用寿命の延長に有利である。
【００８５】
また、本実施例では、バッテリチャンバー内の標準バッテリユニットの間は、互いに直列に接続され、その直列の原理が実施例１３の原理と同じであり、図面を用いて説明しない。
【００８６】
電気自動車に使用中、図２２に示すように、本実施例のバッテリケース及び標準バッテリユニットを組み立てて充電可能なバッテリパックを構成し、図示の方向で電気自動車２７のＧのところに予め設置し、出力ポート３及び出力ポート６を介して自動車駆動装置の回路に接続され、電気自動車に動力を提供する。バッテリケースの容量を向上させるために、電気自動車に上述バッテリケース及び標準バッテリユニットからなる充電可能であり、並列されるバッテリパックを２セット設ける。各バッテリチャンバーに９２個の電圧が３.６Ｖであり、容量が６０Ａ・ｈである標準バッテリユニット（リチウムイオンバッテリ）を設置すれば、バッテリケース内の標準バッテリユニットを直列して電圧が３３１Ｖになり、２つのバッテリチャンバーを並列してバッテリケースの総容量が１２０Ａ・ｈになり、バッテリパック全体の電力貯蔵総量が３９.７ｋＷｈになるとき、現在の電動車が１００ｋｍで１５ｋＷｈの電力を消費することで見積もると、一回の充電で電気自動車は約２６５ｋｍ走行できる。
【００８７】
電気自動車２７は充電する必要があるとき、バッテリ交換ステーションに入り、費用を払ってバッテリケース内の電力が減少した標準バッテリユニットを充電された標準バッテリユニットに交換すればよい。これは、バッテリケース内の標準バッテリユニット７の位置決めのロッキングを解除及び回復する操作以外に、実施例１３の充電過程と同様である。
【００８８】
本実施例の技術案以外に、蒸発部は、バッテリの外壁に、直接かつ密接に接触し、又は良好な熱伝導材料を介して接触させてもよい。この場合も良好な放熱効果が得られる。また、凝縮部は、外部の流通空気以外に、電動車両の放熱外殻に接触してもよい。特に、冷却放熱システムにおける重力型熱パイプは、低沸点冷媒自身の重力を動力として循環するので、使用するときに、凝縮部の位置を蒸発部より高くする必要がある。
【００８９】
実施例１５
図２３に示すように、本実施例は、実施例１３及び実施例１４との相違点が、電気自動車２７の異なる部位に１つ以上の充電可能なバッテリパックを同時に設置できる点である。
本実施例では、電気自動車のＤのところに図１６及び図１７に示すような本発明のバッテリケースと標準バッテリユニットからなる充電可能なバッテリパックが設けられ、電気自動車のＧのところに図２０及び図２１に示すような本発明のバッテリケースと標準バッテリユニットとからなる充電可能なバッテリパックが設けられる。
【００９０】
また、Ｇのところに設けられる充電可能なバッテリパックは、重力型熱パイプからなる冷却放熱システムによってバッテリを放熱する以外に、本実施例では、冷却放熱システムが電気自動車の先端に設けられる空冷通路３７を更に備える。吸気ポート及び排気ポートが空冷通路に設けられる。吸気ポートに交換又は洗浄可能なろ過網３８が設けられる。バッテリケースに設けられる貫通孔２２及びバッテリ間の隙間はバッテリ周囲で通風サブ通路を構成する。通風サブ通路は、空冷通路を介して外部の新鮮な空気に連通される。空冷通路の吸気ポートに車両の走行起動圧力を通風動力とする動圧集気ポートが設けられる。これによって、電動車両が走行するとき、外部の新鮮な空気が、空冷通路及び通風サブ通路に沿ってバッテリに直接に到達し、空気の流通時に自然にバッテリの熱量を放熱し、バッテリを降温する。当然ながら、空冷通路にファンを設けて強制的に通風することもできる。
【００９１】
本実施例は、電気自動車に２つの充電可能なバッテリパックを設置した例を説明したが、車体空間及び実際の要求によって、最も多い充電可能なバッテリパックを設置してもよい。また、充電可能なバッテリパックは、同じであってもよいし、異なってもよい。
【００９２】
実施例１６
図２４、図２５、図６１及び図２６に示すように、本発明のバッテリケースは、実施例１０との相違点が、２つのバッテリチャンバーを有し、各バッテリチャンバーにバッテリの装入及び退出を共通する出入口を１つのみ設け、各バッテリチャンバーの出入口にバッテリチャンバーから進入又は退出させる可動ブロック２１が設けられる点である。
前記可動ブロック２１は、一端がバッテリケース主体１に枢着され、他端がロック４８を介してバッテリケースに固定して接続される。また、２つのバッテリチャンバーは、１つの保護カバー９を共用する。保護カバー９は、一端がバッテリケース主体１に枢着され、他端が締付部材（具体的に図示しない）を介してバッテリケースに固定して接続される。保護カバーとバッテリケースとの間には封止材９０が設けられる。
【００９３】
また、各バッテリチャンバー内に回転ローラからなる回動ガイドレールが設けられる。出入口端の２つの回転ローラは駆動回転ローラ３９であり、スプロケット４５、４６及びチェーン９５を介して駆動電機４４に直接に駆動され、他の回転ローラは、従動回転ローラ４０である。
【００９４】
また、駆動回転ローラ３９の同側の従動回転ローラ４０は、スプロケット９４と、スプロケット９４ａとチェーン９７とからなる伝動チェーン、及びスプロケット９６と、スプロケット９６とチェーン９７とからなる伝動チェーンによって、駆動回転ローラと同期して運転される。駆動電機４４、制御システム４３、減速装置４２及び伝動装置は、バッテリ着脱駆動機構を構成する。本実施例では、伝動装置は、駆動回転ローラ及び従動回転ローラに設けられるスプロケット４５、スプロケット４６、スプロケット９４、スプロケット９６、スプロケット９４ａ、スプロケット９６ａ、チェーン９５、チェーン９７、及びチェーン９８を備える。
電力によって駆動回転ローラ及びその同側の従動回転ローラを回転させ、標準バッテリユニット７を装入するとき、他側の従動回転ローラを回転させることで、標準バッテリユニット７がバッテリチャンバーに円滑に装入される。
【００９５】
本実施例では、前記バッテリケースは、冷却放熱システムを更に備える。前記冷却放熱システムは循環放熱管路である。循環放熱管路は、吸熱部２３、放熱部２６、循環接続管２４、及び動力循環ポンプ２５からなる。循環放熱管路内に冷媒がある。動力循環ポンプ２５は、冷媒の循環のための動力を供給する。吸熱部２３の管路は、バッテリ７下方のバッテリケース内にあり、冷媒が吸熱部に流れるとき、バッテリケース内を放熱し、バッテリを降温する。放熱部２６が外部の流通空気に接触され、吸熱後の冷媒が放熱部に流れるとき空気に放熱し、冷却後の冷媒が循環接続管を介して吸熱部に戻り、次の循環を開始する。更に、回転ローラとバッテリが接触するとき、押圧によってバッテリを損壊することを防止するために、駆動回転ローラ３９及び従動回転ローラ４０を含む全ての回転ローラの表面が弾性ゴムからなり、緩衝の作用を有する保護層４１が設けられる。
【００９６】
標準バッテリユニットを装入及び退出時の摩擦抵抗を下げるために、バッテリチャンバー内にテトラフルオロエチレン板からなり、連続的に摺動するガイドレール２００が更に設けられる。また、標準バッテリユニット７を装入するときに、陽極と陰極の間違いによる不良を防止するために、バッテリチャンバー内に電極に対する自動識別装置２０６が更に設けられる。
【００９７】
本実施例では、自動識別装置２０６は、異なる寸法の電極に対して、バッテリケースにおける異なる寸法のチャンバー構造である。陰極が設けられるチャンバーの寸法は、陰極の電極キャップ１８よりやや大きいが、陽極の電極キャップ１６の寸法より小さいので、標準バッテリユニットの電極の方向を間違ったら、標準バッテリユニットをバッテリチャンバーに入れることができない。
【００９８】
図２６に示すように、本実施例は、電極が同側にある４つの長方形状の標準バッテリユニット７を各バッテリチャンバーに設けるものであり、同一のチャンバー内の標準バッテリユニットを直列に接続してから、２つのバッテリチャンバーにおける直列されたバッテリパックを並列に接続する。
【００９９】
図６１に示すように、絶縁性のベークライト１２５に銅板を嵌めることで形成される電極接触レールを用いる。ベークライト１２５の上方にゴム弾性層１１５が更に設けられる。これによって、電極接触レールは、バッテリケース内に連続的に設置される。ゴム弾性層１１５を設けたので、バッテリの電極高さの範囲での差異を調整できる。また、図示する電極接触レールは、標準バッテリユニットの陽極１２３に接触するものである。即ち、陽極接触レール２であり、その銅板が陽極接触レールのセクション１１６である。標準バッテリユニットの陰極１２４に接触するためのものは、陰極接触レール４であり、その銅板が陰極接触レールのセクション１１７である。
【０１００】
また、図２６において、説明のために、電極接触レールの銅板を設けないセクションを「×」で示す。このように、陽極接触レールのセクション１１６と陰極接触レールのセクション１１７との間に交差して設けられる導線１１８により、バッテリチャンバーにおける標準バッテリユニット（１）、標準バッテリユニット（２）、標準バッテリユニット（３）及び標準バッテリユニット（４）が直列されて第１のバッテリパックが形成される。同じように、他のバッテリチャンバー内における標準バッテリユニット（５）、標準バッテリユニット（６）、標準バッテリユニット（７）及び標準バッテリユニット（８）が直列されて第２のバッテリパックが形成される。そして、導線１１９及び導線１２０によって、２つのバッテリチャンバーにおける第１のバッテリパック及び第２のバッテリパックが並列され、最後に、導線１２１によって陽極の出力ポート３に接続され、導線１２２によって陰極出力ポート６に接続される。
【０１０１】
当然のことながら、この技術原理によって、実際に適用するときに、必要に応じて標準バッテリユニットの数を増減して、バッテリチャンバーの寸法及び容量が適切であるバッテリケースが用いられる。又は、様々な要求を満たすために、異なる陽極接触レール及び陰極接触レールの複数のセクションに分断されるような設置方法、及び直列又は並列回路が用いられる。
【０１０２】
なお、図２６では、円形で示す陰極から区別できるように、四角形の中に円形がある図形は標準バッテリユニットの陽極を示す。これは説明のためであり、実際の電極の形状を示さない。
【０１０３】
以下、標準バッテリユニット７が長方形の鉛酸バッテリを例として具体的な適用を説明する。電気バスに使用中、図２７に示すように、本実施例のバッテリケース及び標準バッテリユニット７を３セット組み立て充電可能なバッテリパックを構成し、電気バスのＬに予め設置し、出力ポート３及び出力ポート６によって電気自動車の駆動装置回路に接続され、電気客車の動力を供給する。
本発明に用いられるのは、中低圧の従来のバッテリであるので、電気客車のより大きい定格作動電圧を満たすように、充電可能なバッテリパックを３セットで互いに直列する。直列回路の原理が非常に簡単であるので、ここでは、具体的に図示して説明しない。電気バス４９が充電する必要があるとき、バッテリ交換ステーションに入って、費用を納付してバッテリケース内の電力が不足している標準バッテリユニットを充電された標準バッテリユニットに交換する。
【０１０４】
以下は、具体的な方法である。
（１）電気バスがバッテリ交換ステーションのバッテリ交換箇所に入り、運転手が標準バッテリユニットの仕様及び数量によって交換しようとする標準バッテリユニットを発注し、保護カバー９を開き、バッテリケースをバッテリ交換状態に切替えるとともに、ロック４８を開けて、可動ブロック２１を回動してバッテリケース内の標準バッテリユニット７のロッキングを解除する。
（２）バッテリ交換装置の回収口と電動車両のバッテリケースの出入口とを結合し、バッテリケース内の標準バッテリユニットをバッテリケースの出入口から１つずつ退出する。そして、バッテリ交換装置の装入口とバッテリ交換装置の出入口とを結合し、発注された標準バッテリユニットの仕様及び数量によって、バッテリケースの出入口から充電された標準バッテリユニットを１つずつ送入し、２つのバッテリチャンバーを、効率を向上させるために、標準バッテリユニットを同時に装入し、同時に退出する。
（３）バッテリ交換装置は、装入された標準バッテリユニットの仕様、数量及び価格を同時に表示する。
（４）バッテリケース内の電力が不足している標準バッテリユニットが交換された後、バッテリ交換装置を外し、ロック４８によって可動ブロック２１をバッテリケースに固定し、バッテリパック内の標準バッテリユニットをロッキングし、保護カバー９を改めて固定し、電動車両の充電が完了する。
（５）標準バッテリユニットがバッテリケースに放置されてロックされた後、電極接触レールに正確に接触させて、電極接触レールと組み合わせて要求されるバッテリパック定格電圧及びバッテリパック容量が達成される。
（６）この間、運転手が発注したバッテリ交換数に応じて費用を納付し、又は最終の実際に交換されたバッテリ数量によって費用を納付する。
（７）交換された電力が不足している標準バッテリユニットを充電庫で充電し、充電済の標準バッテリユニットをバッテリ庫に収納しておく。
【０１０５】
また、着脱駆動機構において、伝動装置は、スプロケット伝動以外に、ベルト伝動、歯車とラックとの伝動、又はウォームホィールとウォームとの伝動、或いはボールとボルトとの伝動であってもよく、同じ効果を実現できる。
【０１０６】
また、本発明の電極に対する自動識別原理により、電極の自動識別装置として、図６０に示すようなバッフル板２０７がバッテリチャンバーの入口に設けられる。バッフル板２０７に標準バッテリユニットの外形寸法よりやや大きい貫通孔２０８が設けられる。標準バッテリユニットの陽極の寸法がより大きくて、陰極に対応する側から通過できないので、正しい方向のみからバッテリチャンバーに装入できる。
【０１０７】
実施例１７
図２８に示す本発明のバッテリケースは、実施例１６との相違点が、バッテリ駆動機構が、制御システム５１、制御弁５３、シリンダ５０、吸気管５４及び排気管５２からなる点である。保護カバー９及び可動ブロック２１を開け、バッテリに対するロッキングを解除した後、制御システムによってシリンダ５０を駆動し、ピストン５５によってストリッパー５６を前へ進出することで、バッテリ７をバッテリチャンバー内から退出させる。
また、標準バッテリユニット７がバッテリチャンバー内での移動のために、バッテリチャンバーの標準バッテリユニットに対応する側面のバッテリケースに、ガイドレール１２６が更に設けられる。ここで、ガイドレール１２６は、滑らかなエンジニアリング・プラスチック板からなる摺動ガイドである。
【０１０８】
本実施例のシリンダについて説明する。本実施例の技術原理により、液圧シリンダ等の装置によってバッテリを退出させる。また、シリンダ又は他の駆動装置によって、バッテリをバッテリチャンバーから退出する以外に、バッテリをバッテリチャンバーから引き出すことによっても、同じ効果を実現できる。本実施例のバッテリ駆動機構は、バッテリケースの内部空間を占めないので、バッテリケースの構造をコンパクトにでき、占用空間もより小さくなる。
【０１０９】
その他として、直線運動アクチュエータは近時普通に用いられ、価格も低くなっているので、直線運動アクチュエータは、最も優れる駆動方式の１つである。それは、直線運動アクチュエータ、直線ガイドレール、制御システム及びストリッパー５６からなり、空間を節約でき、動作が速くて、制御が容易である。
【０１１０】
実施例１８
図２９及び図３０に示す本発明の標準バッテリユニット５７は、複数の長方形状のバッテリセル８７を有する。バッテリセルは導線６１を介して直列され、使用中に分解されない標準外殻５８が設けられる。標準外殻５８も長方形状である。標準外殻５８に弾性伸縮構造を有する電極が設けられ、陽極の弾性伸縮構造は、バネ１７及び電極キャップ１６を有し、陰極の弾性伸縮構造はバネ１９及び電極キャップ１８を有する。陽極及び陰極は、導線５９、６０によって両側のバッテリセル８７に接続され、前記標準バッテリユニット５７を構成する。放熱のために、標準外殻５８に複数の貫通孔６２が設けられる。
【０１１１】
また、使用するとき、バッテリセルが偶然の衝撃によって損壊されることを防止するために、バッテリセル８７に弾性緩衝パッド８０が設けられる。本実施例では、前記弾性緩衝パッド８０は、ゴム材料からなり、緩衝とともに耐摩耗性の効果もある。また、バッテリセル８７に弾性緩衝パッド８０が設けられるので、バッテリセル８７の間に一定の隙間が形成される。これらの隙間と貫通孔６２が外部に連通する複数の通路を構成し、標準バッテリユニット５７の放熱に更に有利である。
【０１１２】
図３１及び図３２に示すように、本実施例のバッテリケースは、軽量アルミニウム材から接合してフレーム構造を構成する。バッテリケース主体１内に複数の標準バッテリユニット５７を収容可能なバッテリチャンバー１０１が３つ設けられ、バッテリチャンバー間は、導線６３によって並列される。バッテリチャンバーの周囲では、バッテリケース主体１の輪郭が標準バッテリユニット５７の装入方向に沿ってガイドレール８を構成する。前記ガイドレール８は摺動ガイドレールである。標準バッテリユニット５７の電極に直接に接触する電極接触レールがバッテリチャンバー内のバッテリ装入方向の側面に更に設けられる。電極接触レールは、陽極接触レール２と陰極接触レール４からなる。陽極接触レール及び陰極接触レールは、図６１に示す構造を採用する。陽極接触レール２に外部回路に接続するための出力ポート３が設けられ、陰極接触レール４に外部回路に接続するための出力ポート６が設けられる。
【０１１３】
本実施例では、出力ポート３及び出力ポート６は、ともに標準電源の継ぎ目である。出力ポート３及び出力ポート６によって外部動力装置に接続されることで、電動車両に給電し、運行される。スイングロッド機構に制御される可動ブロック６４がバッテリケース主体に設けられる。可動ブロック６４は、バッテリチャンバーの出入口端に設けられ、バッテリケース主体１に設けられる貫通孔６６によってバッテリチャンバー１０１内に進入できる。放熱のために、バッテリケース主体１に外部空間に連通するための貫通孔６５がある。
【０１１４】
また、本実施例のバッテリケースは、冷却放熱システムを更に備える。前記冷却放熱システムは、循環放熱管路である。循環放熱管路は、吸熱部２３、放熱部２６、循環接続管２４及び動力循環ポンプ２５からなる。循環放熱管路内には冷媒がある。動力循環ポンプ２５は、冷媒の循環に動力を供給する。吸熱部２３は、バッテリ７の周囲のアルミニウム材に含まれる空きチャンバーに設けられる。冷媒が吸熱部に行ったときバッテリケース内を放熱しバッテリを降温する。放熱部２６が外部の流通空気に接触され、吸熱後の冷媒が放熱部に行ったとき空気に放熱し、冷却後の冷媒が循環接続管を介して吸熱部に戻り、次の循環を開始する。
【０１１５】
以下、従来の定格電圧が３.３Ｖであり、定格容量が６０Ａ・ｈであるリチウム金属バッテリをバッテリセル８７として標準バッテリユニット５７を構成する例として説明する。
現在、電気自動車の定格作動電圧は、一般的に、約３００Ｖであり、１００ｋｍ毎に約１５ｋＷｈの電力を消費する。図２９に示すように、定格電圧が３.３Ｖであり、定格容量が６０Ａ・ｈである５つのリチウム金属バッテリを直列して標準外殻５８に配置して標準バッテリユニット５７を構成する。各標準バッテリユニットは、電圧が１６.５Ｖであり、容量が６０Ａ・ｈである。該標準バッテリユニット５７を図３１に示すバッテリケースに配置し、各バッテリチャンバーに２０個の標準バッテリユニット５７を設け、予め設置される導線によって、前記２０個の標準バッテリユニット５７を直列に接続する。実施例１６において、バッテリチャンバーにおける複数の標準バッテリユニットを直列し、異なるバッテリチャンバーにおける直列したバッテリパックを並列することを説明したので、本実施例では説明しない。上述のように、各バッテリチャンバーにおける標準バッテリユニットが直列された後の電圧が３３０Ｖになり、３つのバッテリチャンバーが並列された後の総容量が１８０Ａ・ｈになるので、本実施例のバッテリケースと標準バッテリユニットからなる充電可能なバッテリパックの全エネルギーが５９.４ｋＷｈまでにもなり、目前の電気自動車が１００ｋｍ毎に約１５ｋＷｈの電力を消耗することで見積もると、前記バッテリパックの電力によって電気自動車が約４００ｋｍ走行できる。
【０１１６】
電気自動車２７に使用中、図３３に示すように、充電可能なバッテリパックを電気自動車のＭのところに予め設置する。電気自動車２７は充電するとき、バッテリ交換ステーションに入って費用を払って、バッテリケース内の電力が不足している標準バッテリユニットを充電されている標準バッテリユニットに交換する。具体的には、実施例１６において、バッテリケース内の標準バッテリユニット５７の位置決めのロッキング操作を解除及び回復する以外は、ほぼ同様である。
本実施例では、スイングロッド機構に制御される可動ブロックによって、標準バッテリユニットの位置決めに対するロッキングは回転スイングロッド１１０によって解除又は回復される。
【０１１７】
本実施例のような標準バッテリユニットは、電圧がより低いので、従来技術における大型蓄電池に対して、安全性がより高い。例えば、本実施例では、標準バッテリユニット５７の定格電圧が１６.５Ｖであり、人体の安全電圧の３６Ｖの標準より大幅に小さいので、本発明の標準バッテリユニットは、使用するときの身体の安全を効果的に保障でき、感電の危険が大幅に低下する。また、全圧大バッテリに対して、複雑の形状のバッテリケースに配置しやすいので、電動車両の可用空間を効果的に適用できる。バッテリセルに対して、電動車両の充電時間（バッテリ交換時間）を更に短縮できる。
【０１１８】
また、本実施例では、標準バッテリユニットにおいて、直列したバッテリセルを５つ設置する例として説明する。実際に、作動電圧、又は充電バッテリパックの容量、或いは用いられるバッテリの性能によって、標準バッテリユニットを構成するバッテリセルの数量及び接続形式は異なってもよい。例えば、基本バッテリ間は、直列以外に並列であってもよく、又は直列と並列とを共用してもよい。
また、本実施例は、３つの並列するバッテリチャンバーがバッテリケースに設けられる例として説明する。実際に、必要に応じて３つ未満、又は３つ以上のバッテリチャンバーを設置してもよく、かつバッテリチャンバー内の標準バッテリユニットの使用量及びバッテリチャンバー間の接続方式も異なってもよい。更に、バッテリチャンバーは、電動車両の異なる位置に設けられてもよい。
【０１１９】
実施例１９
図３４に示すバッテリケースは、実施例１８との相違点が、陽極接触レール２において、出力ポート３に接続される１つの陽極接触レールのセクション１１６はシリンダ６８に接続される点である。
充電するとき、スイングロッドを回動して可動ブロックをバッテリチャンバーから退出するとき、シリンダが同期運動して、出力ポート３に接続する１つの陽極接触レールのセクション１１６を標準バッテリユニット５７の電極から離れる。これによって、バッテリケース全体の給電回路がカットオフされ、充電時の偶然な感電事故を防止でき、更に安全である。充電後、スィングロッドを回動して可動ブロックをバッテリチャンバーに入らせて標準バッテリユニットを改めてロッキングする時、シリンダが同期動作して出力ポート３に接続する１つの陽極接触レールのセクション１１６を標準バッテリユニット５７の電極に改めて接触する。また、シリンダの動力は、他の常備充蓄電バッテリ(図示しない)に供給される。
【０１２０】
当然ながら、電極接触レールがバッテリの電極に対して移動できる技術案以外、電極接触レールがバッテリの電極に対して回動する技術案を採用してもよい。バッテリケース全体内の給電回路を中断可能ならば、同じ効果を実現できる。具体的に実施する装置は、シリンダ以外、他の電動、液圧又は機械的装置であってもよい。ここでは、説明しない。
【０１２１】
実施例２０
図３５に示すバッテリケースは、実施例１との相違点が、電極接触レールは１つだけ設けられ、バッテリチャンバーの標準バッテリの装入方向の側面に位置される点である。
電極接触レールは、間隔をあけて設けられる金属良導体材料セクション２０５と、絶縁体材料セクション２０１とからなり、連続している。電極接触レールとバッテリケース主体１との間に弾性要素が設けられる。弾性要素は、具体的には、弾性ポリウレタンスペーサー１００である。
特例として、本実施例のバッテリケースの電極接触レールは、金属良導体セクション２０５が陽極接触レール及び陰極接触レールを兼ねる。図３５に示すように、バッテリチャンバーにおいて、電極が同じ側にある長方形の標準バッテリユニット７が設けられるとき、バッテリが位置についたあと、金属良導体セクション２０５によって全ての標準バッテリユニットを直列できる。電極接触レールの両端に設置された金属良導体セクション２０５は、標準バッテリユニットの電極に接続以外、陽極出力ポート３及び陰極出力ポート６にそれぞれ接続され、バッテリパック全体の電源回路を構成する。説明のために、図３５において、「×」で標準バッテリユニットの陽極２０３と陰極２０４とを区分する。
【０１２２】
このようなバッテリケースは、導線で接続しないので、バッテリケースの内部構造を大幅に簡略化でき、占用空間が更に小さくなり、実用性がより大きい。
【符号の説明】
【０１２３】
１      バッテリケース主体
２      陽極接触レール
３      出力ポート
４      陰極接触レール
５      弾性要素
６      出力ポート
７      標準バッテリユニット
８      ガイドレール
９ａ      保護カバー
９ｂ      保護カバー
１０      電動自転車
１１      フレーム
１２      サドル
１３      軽金属材料
１４      弾性緩衝スペーサー
１５      耐摩耗層
１６      電極キャップ
１７      弾性伸縮構造
１８      電極キャップ
１９      弾性伸縮構造
２１      可動ブロック
２３      吸熱部
２４      循環接続管
２５      動力循環ポンプ
２６      放熱部
２７      電気自動車
２８      導線
２９      導線
３０      上昇管
３１      下降管
３２      ガイドベルト
３３      回転ローラ
３４      カランドリア
３５      凝縮部
３６      制御弁
３７      空冷通路
３８      ろ過網
３９      駆動回転ローラ
３０      従動回転ローラ
４１      保護層
４２      減速装置
４３      制御システム
４４      駆動電機
４５      スプロケット
４６      スプロケット
４８      ロック
４９      電気バス
５０      シリンダ
５１      制御システム
５２      排気管
５３      制御弁
５４      吸気管
５５      ピストン
５６      ストリッパー
５７      標準バッテリユニット
５８      標準外殻
６１      導線
６２      貫通孔
６３      導線
６４      可動ブロック
６６      貫通孔
６８      シリンダ
８０      弾性緩衝パッド
８１      陽極
８２      導線
８３      陰極
８４      導線
８５      導線
８６      導線
８７      バッテリセル
９０      封止材
９１      絶縁材料セクション
９４      スプロケット
９４ａ      スプロケット
９５      チェーン
９６      スプロケット
９６ａ      スプロケット
９７      チェーン
９８      チェーン
１００      耐熱ゴムスペーサー
１０１      バッテリチャンバー
１０２      ストッパー
１０３      ストッパー
１０４      可動ブロック
１１０      回転スイングロッド
１１５      ゴム弾性層
１１６      陽極接触レールのセクション
１１７      陰極接触レールのセクション
１１９      導線
１２０      導線
１２１      導線
１２２      導線
１２３      陽極
１２５      ベークライト
１２６      ガイドレール
２００      保護層
２０１      絶縁体材料セクション
２０３      陽極
２０４      陰極
２０５      金属良導体材料セクション
２０６      自動識別装置
２０７      バッフル板
２０８      貫通孔
【図１】
2013512137.tif 000003
【図２】
2013512137.tif 000004
【図３】
2013512137.tif 000005
【図４】
2013512137.tif 000006
【図５】
2013512137.tif 000007
【図６】
2013512137.tif 000008
【図７】
2013512137.tif 000009
【図８】
2013512137.tif 000010
【図９】
2013512137.tif 000011
【図１０】
2013512137.tif 000012
【図１１】
2013512137.tif 000013
【図１２】
2013512137.tif 000014
【図１３】
2013512137.tif 000015
【図１４】
2013512137.tif 000016
【図１５】
2013512137.tif 000017
【図１６】
2013512137.tif 000018
【図１７】
2013512137.tif 000019
【図１８】
2013512137.tif 000020
【図１９】
2013512137.tif 000021
【図２０】
2013512137.tif 000022
【図２１】
2013512137.tif 000023
【図２２】
2013512137.tif 000024
【図２３】
2013512137.tif 000025
【図２４】
2013512137.tif 000026
【図２５】
2013512137.tif 000027
【図２６】
2013512137.tif 000028
【図２７】
2013512137.tif 000029
【図２８】
2013512137.tif 000030
【図２９】
2013512137.tif 000031
【図３０】
2013512137.tif 000032
【図３１】
2013512137.tif 000033
【図３２】
2013512137.tif 000034
【図３３】
2013512137.tif 000035
【図３４】
2013512137.tif 000036
【図３５】
2013512137.tif 000037
【図５０】
2013512137.tif 000038
【図５１】
2013512137.tif 000039
【図５２】
2013512137.tif 000040
【図５３】
2013512137.tif 000041
【図５４】
2013512137.tif 000042
【図５５】
2013512137.tif 000043
【図５６】
2013512137.tif 000044
【図５７】
2013512137.tif 000045
【図５８】
2013512137.tif 000046
【図５９】
2013512137.tif 000047
【図６０】
2013512137.tif 000048
【図６１】
2013512137.tif 000049
【国際調査報告】
2013512137.tif 000050
2013512137.tif 000051
2013512137.tif 000052
2013512137.tif 000053
2013512137.tif 000054
2013512137.tif 000055
2013512137.tif 000056
2013512137.tif 000057
2013512137.tif 000058
2013512137.tif 000059